(57)【特許請求の範囲】
【請求項１】
カメラモジュールであって、
少なくとも１つの弦辺と少なくとも１つの円辺とを備える少なくとも１つの縁除去化レンズを備え、前記弦辺は前記円辺に隣接し、前記弦辺と前記円辺とは曲率が異なっているレンズ群と、
感光経路に前記レンズ群が位置している感光アセンブリと、を備え、
前記感光アセンブリは少なくとも１つのベースと、少なくとも１つの感光チップと、少なくとも１つの回路基板とを備え、前記ベースは、取付位置を提供するように、回路基板に設けられ、前記感光チップは前記回路基板に電気的に接続され、前記レンズ群は前記感光チップの感光経路に位置し、
前記回路基板は第一板体と第二板体とを備え、前記第一板体は第二板体に電気的に接続され、前記第二板体は電子デバイスを電気的に接続するためのものであり、前記ベースは前記第一板体に設けられ、前記縁除去化レンズの前記弦辺は前記第二板体に近い側に位置し、
前記ベースは４つの側辺を備え、それぞれが第一側辺と、第二側辺と、第三側辺と、第四側辺であり、前記第一側辺と、前記第二側辺と、前記第三側辺と、前記第四側辺は互いに隣接して光窓を形成し、前記感光チップに光線通路を提供し、前記第一側辺は前記第二板体に近く、前記弦辺は前記第一側辺の方に位置し、
前記第二側辺及び前記第四側辺は前記第一側辺の両側に位置し、
前記第一側辺の幅寸法は第二側辺及び前記第四側辺の幅寸法よりも小さい、
ことを特徴とするカメラモジュール。
【請求項２】
前記弦辺は曲率が０となり、直線分である、請求項１に記載のカメラモジュール。
【請求項３】
前記円辺は曲率が>０となり、弧形の線分である、請求項１に記載のカメラモジュール。
【請求項４】
前記弦辺は直線であり、前記円辺は円弧である、請求項１に記載のカメラモジュール。
【請求項５】
前記弦辺及び前記円辺は数量が１であり、かつ、前記弦辺は曲率が０となり、直線分である、請求項１に記載のカメラモジュール。
【請求項６】
前記弦辺は数量が２であり、かつ、各前記弦辺は曲率が０となり、直線分である、請求項１に記載のカメラモジュール。
【請求項７】
前記弦辺は数量が２であり、前記円辺は数量が２であり、各前記弦辺は対称に分布されている、請求項１に記載のカメラモジュール。
【請求項８】
前記レンズ群は複数のレンズを備え、そのうちの少なくとも１つは前記縁除去化レンズであり、少なくとも１つは円形レンズである、請求項１に記載のカメラモジュール。
【請求項９】
前記縁除去化レンズは寸法が前記円形レンズよりも大きい、請求項８に記載のカメラモジュール。
【請求項１０】
前記レンズ群は縁除去化鏡筒を備え、前記縁除去化レンズは前記縁除去化鏡筒内に取り付けられ、前記縁除去化鏡筒は弦辺部と円辺部とを備え、前記弦辺部と前記円辺部とは断面辺縁の曲率が異なっている、請求項８に記載のカメラモジュール。
【請求項１１】
前記縁除去化レンズは射出方式にて一次成形により製造されたものである、請求項８に記載のカメラモジュール。
【請求項１２】
前記ベースは前記回路基板に粘着さている、請求項１から請求項１１の何れか一項に記載のカメラモジュール。
【請求項１３】
前記回路基板は回路基板本体と、少なくとも１つの電子素子とを備え、前記電子素子は前記回路基板本体に設けられ、前記ベースは前記回路基板本体に一体的に成形されると共に少なくとも１つの前記電子素子を被覆している、請求項１から請求項１１の何れか一項に記載のカメラモジュール。
【請求項１４】
前記回路基板は回路基板本体と、少なくとも１つの電子素子とを備え、少なくとも１つの前記電子素子は前記回路基板本体の底部に設けられている、請求項１から請求項１１の何れか一項に記載のカメラモジュール。
【請求項１５】
前記回路基板は沈下領域を有し、前記感光チップは沈下して前記沈下領域に設けられ、前記沈下領域として凹溝と貫通孔とのうちの１種類を選択する、請求項１から請求項１１の何れか一項に記載のカメラモジュール。
【発明の詳細な説明】
【技術分野】
【０００１】
本発明はカメラモジュールの分野に関し、更にレンズ群及びカメラモジュール並びにその製造方法に関し、特にカメラモジュールの体型を大幅に縮小してスマートデバイスでカメラモジュールをコンパクトに使用するには便利な超狭レンズ群及びカメラモジュールに関する。
【背景技術】
【０００２】
スマートデバイスの発展につれて、カメラモジュールはスマートデバイスの不可欠な部品となった。また、カメラモジュールの高性能化は更にスマートデバイスの改良及び開発の主な方向となり、スマートデバイスの性能を反映するカギとなった。
【０００３】
今まで、従来のスマートデバイス、例えば、スマートフォン、スマートコンピューター、スマートホームなどのデバイスにはカメラモジュールのために大きい空間を残す必要があり、特にリムを設計するときに、カメラモジュールのために広い辺縁を用意する必要がある。しかし、スマートデバイスが小体積、狭リムを図る傾向につれて、カメラモジュールも体積を縮小しなければならない。如何に体積を減らすと共にレンズ群の正常な作動を確保してカメラモジュールの機能を完全にするかは、解決すべく問題である。
【０００４】
従来のレンズ群及びカメラモジュールは図１で示されている。従来のカメラモジュールは少なくとも１つのレンズ１０Ｐと、一鏡筒２０Ｐと、一鏡ホルダー３０Ｐと、一回路アセンブリ４０Ｐとを備え、前記レンズ１０Ｐは円形レンズであり、前記鏡筒２０Ｐは円柱形の筒状構造であり、前記鏡ホルダー３０Ｐは角形構造であり、前記回路アセンブリ４０Ｐは角形である。ここには、前記鏡筒２０Ｐは前記レンズ１０Ｐを内包して支持しているため、前記鏡筒２０Ｐと前記レンズ１０Ｐの外形とは互いに対応しており、つまり、軸方向から見て、前記レンズ２２Ｐ及び前記鏡筒２０Ｐは何れも完全な円形である。しかし、鏡ホルダー３０Ｐ及び前記回路アセンブリ４０Ｐは何れも角形であり、かつ、前記回路アセンブリ４０Ｐにおける主な感光チップ４１Ｐも角形である。前記レンズ１０Ｐのそれぞれは円形の透光の部分と不透光の部分とを備えるため、光線うちの多くの光線は前記回路アセンブリ４０Ｐにより受光されず、前記回路アセンブリ４０Ｐの金線、ｐａｄ、回路、鏡ホルダー、モールディング品、粘着剤などの表面が相対的に滑らかな部材に落ち、複数回の反射を経て画像成形領域に戻り、迷光を形成している。そして、前記レンズ１０Ｐを改造して不要な部分を減らすことで、前記鏡筒２０Ｐ、前記鏡ホルダー３０Ｐ及び前記回路アセンブリ４０Ｐのそれぞれから相応的に不要な部分を減らすことができれば、体型全体からカメラモジュールの体積を減らすことができる。実際的には、極端の場合、前記回路アセンブリ４０Ｐは感光チップよりも僅かに大きければ、前記鏡筒２０Ｐと前記回路アセンブリ４０Ｐとの対応の大きさ、前記レンズ１０Ｐと前記回路アセンブリ４０Ｐの感光チップとの対応の大きさにより、カメラモジュールの機能を完全に確保することができる。  
【０００５】
従来のカメラモジュールは前記回路アセンブリ４０Ｐのために多くの安全空間を残し、特に感光チップ４１Ｐが安定して長期的に作動できるようにするために、前記回路アセンブリ４０Ｐに多くの空間を拡張している。また、従来の前記レンズ１０Ｐは有効透光口径を確保できるために、スペーサー又は遮光フィルムにより不要な光線を遮蔽する。しかし、光線は一部がやはりレンズに屈折及び反射され、迷光を形成する。
【０００６】
以上の要因により、結像効果が低下するだけではなく、カメラモジュールの体型全体に多くの余分部分がある。これは、コンパクトな利用環境ひいては高集積度のシステムの応用に対して不利である。
【０００７】
一方、カメラモジュールの高画素化の発展につれて、レンズ群におけるレンズは数量が益々増え、例えば、４ｐ、５ｐ、６ｐ、７ｐ以上などになり、レンズ群の体積も益々大きくなるのでレンズ群によるカメラモジュールへの影響要因も益々大きくなり、レンズ群への改良もより重要になった。
【発明の概要】
【０００８】
本発明の１つの目的は、レンズ群及びカメラモジュール並びにその製造方法を提供することにあり、それはコンパクトな体型を利用して不要な体積を減らし、機能を完全に確保したうえでスマートデバイスに効率的に適用した。
【０００９】
本発明のもう１つの目的は、レンズ群及びカメラモジュール並びにその製造方法を提供することにあり、前記レンズ群は、少なくとも１つの縁除去化レンズを備え、前記縁除去化レンズは少なくとも１つの弦辺と、結像領域と、非結像領域とを備え、前記弦辺により前記縁除去化レンズの体型を減らすが、前記縁除去化レンズの前記結像領域に影響しない。
【００１０】
本発明のもう１つの目的は、レンズ群及びカメラモジュール並びにその製造方法を提供することにあり、前記カメラモジュールは縁除去化鏡筒と、ベースと、回路アセンブリとを更に備え、前記縁除去化鏡筒と前記ベースとは前記回路アセンブリで光線を効率的に処理するように何れも前記縁除去化レンズの体型に合わせている。
【００１１】
本発明のもう１つの目的は、レンズ群及びカメラモジュール並びにその製造方法を提供することにあり、前記レンズの前記弦辺は前記結像領域に影響しないと共に前記非結像領域からの影響を低減した。
【００１２】
本発明のもう１つの目的は、レンズ群及びカメラモジュール並びにその製造方法を提供することにあり、前記縁除去化レンズは少なくとも１つの円辺を更に備え、前記弦辺及び前記円辺は形状が異なることで、前記縁除去化レンズを組み立てるときの難しさを下げることができる。
【００１３】
本発明のもう１つの目的は、レンズ群及びカメラモジュール並びにその製造方法を提供することにあり、前記縁除去化レンズの前記弦辺は直線形でも弧形でもよく、前記円辺の円形に対して、前記弦辺は金型の加工・設計にかかる時間及びコストが何れも低減し、しかも使用材料が著しく少なくなった。
【００１４】
本発明のもう１つの目的は、レンズ群及びカメラモジュール並びにその製造方法を提供することにあり、前記縁除去化レンズは前記弦辺の相応の加工良品率が前記円辺と比べて向上した。
【００１５】
本発明のもう１つの目的は、レンズ群及びカメラモジュール並びにその製造方法を提供することにあり、前記縁除去化レンズは前記非結像領域が従来のレンズと比べて大幅に少なくなったため、前記非結像領域を通る光線も相応的に少なくなり、結像効果及び結像効率が向上した。
【００１６】
本発明のもう１つの目的は、レンズ群及びカメラモジュール並びにその製造方法を提供することにあり、前記縁除去化レンズの体型が小さくなり、前記縁除去化鏡筒、前記ベース及び前記回路アセンブリの体型も相応的に小さくなり、カメラモジュール全体の体型が狭くなった。
【００１７】
本発明のもう１つの目的は、レンズ群及びカメラモジュール並びにその製造方法を提供することにあり、前記縁除去化レンズの前記弦辺の設計により、前記縁除去化鏡筒及び前記ベースの形状にも相応の弦辺部を有した。
【００１８】
本発明のもう１つの目的は、レンズ群及びカメラモジュール並びにその製造方法を提供することにあり、前記縁除去化鏡筒の前記弦辺部における前記ベースと対応する位置も直線形でも、弧形でもよく、かつ前記縁除去化鏡筒の前記弦辺部を製造するために使用するデバイス及び金型も円形のものを採用する必要がない。
【００１９】
本発明のもう１つの目的は、レンズ群及びカメラモジュール並びにその製造方法を提供することにあり、前記縁除去化鏡筒の前記弦辺部の設計及び加工の場合、従来の円形と比べて、かかる時間及びコストが何れも低減し、相応の加工良品率が向上した。
【００２０】
本発明のもう１つの目的は、レンズ群及びカメラモジュール並びにその製造方法を提供することにあり、前記縁除去化鏡筒の前記弦辺部と前記ベースとの合わせにより、カメラモジュールの組立てに便利を寄与し、取付方向を速めに決めることができる。
【００２１】
本発明のもう１つの目的は、レンズ群及びカメラモジュール並びにその製造方法を提供することにあり、前記縁除去化鏡筒及び前記ベースの体型が縮小することで、前記回路アセンブリをよりコンパクトに取り付けることができる。
【００２２】
本発明のもう１つの目的は、レンズ群及びカメラモジュール並びにその製造方法を提供することにあり、前記縁除去化レンズは前記回路アセンブリの感光チップに対応して設けられ、かつ前記縁除去化レンズの前記非結像領域は前記回路アセンブリの感光チップの体型に対して少なくなり、影響も相応的に低減した。
【００２３】
本発明のもう１つの目的は、レンズ群及びカメラモジュール並びにその製造方法を提供することにあり、前記縁除去化レンズは射出により一次成形され、相応的に前記弦辺を形成することで、製造コストを下げると共に生産難しさを下げた。
【００２４】
本発明のもう１つの目的は、レンズ群及びカメラモジュール並びにその製造方法を提供することにあり、前記縁除去化鏡筒及び前記縁除去化レンズに対応する他の部材は射出により一次成形されて、製造金型も前記レンズと相応の体型を有した。
【００２５】
本発明のもう１つの目的は、レンズ群及びカメラモジュール並びにその製造方法を提供することにあり、相応の前記縁除去化レンズ、前記縁除去化鏡筒、前記ベース及び前記回路アセンブリにより、組立て時、容易に対応して組立て過程を簡略化することができる。
【００２６】
本発明のもう１つの目的は、レンズ群及びカメラモジュール並びにその製造方法を提供することにあり、相応の前記縁除去化レンズ、前記縁除去化鏡筒、前記ベース及び前記回路アセンブリにより、カメラモジュールの体型は相応的に少なくなり、従来の技術よりも超狭のカメラモジュールを達成した。
【００２７】
本発明のもう１つの目的は、レンズ群及びカメラモジュール並びにその製造方法を提供することにあり、前記レンズ群をベース設計の要求に合わせることで、カメラモジュールの寸法を全体的に小型化した。
【００２８】
上記少なくとも１つの目的を達成するために、本発明の一方面は、少なくとも１つの縁除去化レンズを備え、前記縁除去化レンズは少なくとも１つの弦辺と少なくとも１つの円辺とを備え、前記弦辺は前記円辺に隣接し、前記弦辺と前記円辺とは曲率が異なっているレンズ群を提供する。
ある実施例によれば、前記レンズ群において、前記弦辺は曲率が０となり、直線分である。
ある実施例によれば、前記レンズ群において、前記円辺は曲率が>０となり、弧形の線分である。
ある実施例によれば、前記レンズ群において、前記弦辺は直線であり、前記円辺は円弧である。
ある実施例によれば、前記レンズ群において、前記弦辺及び前記円辺は数量が１であり、かつ、前記弦辺は曲率が０となり、直線分である。
ある実施例によれば、前記レンズ群において、前記弦辺は数量が２であり、かつ、各前記弦辺は曲率が０となり、直線分である。
ある実施例によれば、前記レンズ群において、前記弦辺は数量が２であり、前記円辺は数量が２であり、各前記弦辺は対称に分布されている。
ある実施例によれば、前記レンズ群において、前記弦辺は直線分である。
【００２９】
ある実施例によれば、前記レンズ群において、前記レンズ群は複数のレンズを備え、そのうちの少なくとも１つは前記縁除去化レンズであり、少なくとも１つは円形レンズである。
ある実施例によれば、前記レンズ群において、前記縁除去化レンズは寸法が前記円形レンズよりも大きい。
【００３０】
ある実施例によれば、前記レンズ群において、前記レンズ群は４つのレンズを備え、前記レンズは寸法が漸増し、かつ、そのうちの寸法が最も大きい前記レンズは前記縁除去化レンズである。
ある実施例によれば、前記レンズ群において、前記レンズ群は縁除去化鏡筒を備え、前記縁除去化レンズは前記縁除去化鏡筒内に取り付けられている。
ある実施例によれば、前記レンズ群において、前記縁除去化鏡筒は弦辺部と円辺部とを備え、前記弦辺部と前記円辺部とは断面辺縁の曲率が異なっている。
ある実施例によれば、前記レンズ群において、前記縁除去化レンズの前記弦辺は前記縁除去化鏡筒の前記弦辺部に対応している。
ある実施例によれば、前記レンズ群において、前記縁除去化レンズは射出方式にて一次成形により製造されたものである。
【００３１】
ある実施例によれば、前記レンズ群は少なくとも１つの光路素子を備え、前記光路素子は、前記レンズに予め定められた光線通路を形成するように前記レンズに隣り合って設けられている。
ある実施例によれば、前記レンズ群において、前記縁除去化レンズに位置する前記光路素子は外辺縁の形状が前記縁除去化レンズの形状と一致している。
ある実施例によれば、前記レンズ群において、前記光路素子はワッシャー、スペーサー、コーティングのうちの１種類である。
【００３２】
本発明の別の一方面は、少なくとも１つの弦辺と少なくとも１つの円辺とを備える少なくとも１つの縁除去化レンズを備え、前記弦辺は前記円辺に隣接し、前記弦辺と前記円辺とは曲率が異なっているレンズ群と、感光経路に前記レンズ群が位置している前記感光アセンブリと、を備えるカメラモジュールを提供する。
【００３３】
ある実施例によれば、前記カメラモジュールにおいて、前記感光アセンブリは、少なくとも１つのベースと、少なくとも１つの感光チップと、少なくとも１つの回路基板とを備え、前記ベースは、取付位置を提供するように、回路基板に設けられ、前記感光チップは前記回路基板に電気的に接続され、前記レンズ群は前記感光チップの感光経路に位置している。
【００３４】
ある実施例によれば、前記カメラモジュールにおいて、前記ベース一は前記回路基板に一体的に成形され、少なくとも１つの光窓を形成し、前記感光チップに光線通路を提供する。
【００３５】
ある実施例によれば、前記カメラモジュールにおいて、前記ベースはベース本体と補足ベースとを備え、前記ベース本体は切り欠きを有し、前記補足ベースは前記切り欠きに補足されることで閉じた前記光窓を形成している。
ある実施例によれば、前記カメラモジュールにおいて、前記レンズ群は縁除去化された位置が前記補足ベースの位置に対応している。
ある実施例によれば、前記カメラモジュールにおいて、前記ベースは前記回路基板に粘着さている。
【００３６】
ある実施例によれば、前記カメラモジュールにおいて、前記回路基板は回路基板本体と、少なくとも１つの電子素子とを備え、前記電子素子は前記回路基板本体に設けられ、前記ベースは前記回路基板本体に一体的に成形されると共に少なくとも１つの前記電子素子を被覆している。
【００３７】
ある実施例によれば、前記カメラモジュールにおいて、前記回路基板は回路基板本体と、少なくとも１つの電子素子とを備え、少なくとも１つの前記電子素子は前記回路基板本体の底部に設けられ、前記ベースは前記回路基板本体の頂部に一体的に成形されている。
ある実施例によれば、前記カメラモジュールにおいて、前記回路基板は沈下領域を有し、前記感光チップは沈下して前記沈下領域に設けられている。
ある実施例によれば、前記カメラモジュールにおいて、前記沈下領域として凹溝と貫通孔とのうちの１種類を選択する。
【００３８】
ある実施例によれば、前記カメラモジュールにおいて、前記感光チップは感光領域と、非感光領域とを備え、前記ベースは少なくとも一部の前記非感光領域を一体的にパッケージしている。
【００３９】
ある実施例によれば、前記カメラモジュールにおいて、前記カメラモジュールは少なくとも１つの光フィルターを備え、前記ベースは前記光フィルターを一体的にパッケージしている。
【００４０】
ある実施例によれば、前記カメラモジュールにおいて、前記カメラモジュールは遮蔽レンズを備え、前記遮蔽レンズは前記感光チップの上方に位置し、前記ベースにより一体的にパッケージされている。
ある実施例によれば、前記カメラモジュールにおいて、前記遮蔽レンズは前記縁除去化レンズである。
【００４１】
ある実施例によれば、前記カメラモジュールはレンズ群搭載素子を備え、前記レンズ群は前記レンズ群搭載素子に取り付けられ、前記レンズ群搭載素子は前記ベースに取り付けられている。
ある実施例によれば、前記カメラモジュールにおいて、オートフォーカスカメラモジュールを形成するように前記レンズ群搭載素子は駆動部材である。
【００４２】
ある実施例によれば、前記カメラモジュールにおいて、フィックスフォーカスカメラモジュールを形成するように前記レンズ群搭載素子はレンズ群固定部材である。
【００４３】
ある実施例によれば、前記レンズ群搭載素子は前記ベースに一体的に接続され、前記レンズ群は、フィックスフォーカスモジュールを形成するように、前記レンズ群搭載素子に取り付けられている。
ある実施例によれば、複数の前記カメラモジュールはアレイカメラモジュールを構成している。
【００４４】
本発明の別の一方面は、少なくとも１つの縁除去化レンズと縁除去化鏡筒とを備え、前記縁除去化レンズは前記縁除去化鏡筒内に取り付けられ、前記縁除去化レンズは少なくとも１つの弦辺と少なくとも１つの円辺とを備え、前記弦辺が前記円辺に隣接し、前記弦辺と前記円辺とは曲率が異なり、前記縁除去化鏡筒は弦辺部を備え、前記弦辺部は前記レンズ群の体積を小さくするように前記縁除去化レンズの前記弦辺に対応しているレンズ群を提供する。
【００４５】
本発明の別の一方面は、少なくとも１つの縁除去化レンズと縁除去化鏡筒とを備え、前記縁除去化レンズは前記縁除去化鏡筒内に取り付けられ、前記縁除去化レンズは少なくとも１つの弦辺と少なくとも１つの円辺とを備え、前記弦辺は前記円辺に隣接し、前記弦辺と前記円辺とは曲率が異なり、前記縁除去化鏡筒は弦辺部を備え、前記弦辺部は前記レンズ群の体積を小さくするように前記縁除去化レンズの前記弦辺に対応しているレンズ群と、
感光経路に前記レンズ群が位置する感光アセンブリとを備えるカメラモジュールを提供する。
【００４６】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられ、前記縁除去化レンズの前記弦辺は前記第二板体に近づく側に位置している。
【００４７】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられ、前記縁除去化レンズの前記弦辺及び前記縁除去化鏡筒の前記弦辺部は前記第二板体に近づく側に位置している。
【００４８】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられ、前記縁除去化レンズの前記弦辺は前記第二板体から遠ざかる側に位置している。
【００４９】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられ、前記縁除去化レンズの前記弦辺及び前記縁除去化鏡筒の前記弦辺部は前記第二板体から遠ざかる側に位置している。
【００５０】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられ、前記縁除去化レンズは２つの前記弦辺を備え、一方の前記弦辺が前記第一板体に近づく側に位置し、他方の前記弦辺が前記第二板体から遠ざかる側に位置している。
【００５１】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられ、前記縁除去化レンズは２つの前記弦辺を備え、前記縁除去化鏡筒は２つの前記弦辺部を備え、一方の前記弦辺及び一方の前記弦辺部は前記第一板体に近づく側に位置し、他方の前記弦辺及び他方の前記弦辺部は前記第二板体から遠ざかる側に位置している。
【００５２】
ある実施例によれば、前記ベースは４つの側辺を備え、それぞれが第一側辺と、第二側辺と、第三側辺と、第四側辺であり、前記第一側辺と、前記第二側辺と、前記第三側辺と、前記第四側辺は互いに隣接して光窓を形成し、前記感光チップに光線通路を提供し、前記第一側辺は前記第二板体に近く、前記弦辺は前記第一側辺の方向に位置している。
ある実施例によれば、前記第一側辺の幅寸法は前記第二側辺及び前記第四側辺の幅寸法よりも小さい。
【００５３】
ある実施例によれば、前記ベースは４つの側辺を備え、それぞれが第一側辺と、第二側辺と、第三側辺と、第四側辺であり、前記第一側辺と、前記第二側辺と、前記第三側辺と、前記第四側辺は互いに隣接して光窓を形成し、前記感光チップに光線通路を提供し、前記第一側辺は前記第二板体に近く、前記第三側辺は前記第一側辺に対向し、前記弦辺は前記第三側辺の方向に位置している。
ある実施例によれば、前記第二側辺の幅寸法は第二側辺及び前記四側辺の幅寸法よりも小さい。
【００５４】
ある実施例によれば、前記ベースは４つの側辺を備え、それぞれが第一側辺と、第二側辺と、第三側辺と、第四側辺であり、前記第一側辺と、前記第二側辺と、前記第三側辺と、前記第四側辺は順次に互いに隣接して光窓を形成し、前記感光チップに光線通路を提供し、前記第一側辺は前記第二板体に近く、前記第三側辺は前記第一側辺に対向し、そのうち一方の前記弦辺は前記第一側辺の方向に位置し、他方の前記弦辺は前記第三側辺の方向に位置している。
【００５５】
ある実施例によれば、前記回路基板は第一板体と第二板体とを備え、前記第一板体と前記第二板体とは接続媒体を介して電気的に接続され、前記第二板体は電子デバイスを電気的に接続するためのものであり、前記ベースは前記第一板体に設けられている。
【００５６】
ある実施例によれば、前記回路基板は少なくとも１つの電子素子を備え、前記電子素子は前記第一板体に設けられ、前記ベースは前記第一板体に一体的に成形されると共に少なくとも１つの前記電子素子を被覆している。
ある実施例によれば、前記電子素子は前記ベースの４つの側辺のうちの１つの側辺、２つの側辺、３つの側辺、４つの側辺に選択的に設けられている。
ある実施例によれば、前記電子素子は前記第二側辺及び前記第四側辺の位置に設けられている。
ある実施例によれば、前記電子素子は前記第一側辺及び前記第三側辺の位置に設けられている。
ある実施例によれば、前記感光チップは電気接続素子を介して前記第一板体に電気的に接続され、前記ベースは前記第一板体に一体的に成形されると共に前記電気接続素子を被覆している。
ある実施例によれば、前記電気接続は前記ベースの四側のうちの両側、三側又は四側に選択的に設けられている。
ある実施例によれば、前記電気接続素子は前記第二側辺と前記第四側辺とが対応する位置に設けられている。
ある実施例によれば、前記電気接続素子は前記第一側辺と前記第三側辺とが対応する位置に設けられている。
【図面の簡単な説明】
【００５７】
【図１】は従来のカメラモジュール全体の透視模式図である。
【図２】は本発明の第一好ましい実施例によるカメラモジュールの斜視模式図である。
【図３】は本発明の第一好ましい実施例によるカメラモジュールの分解模式図である。
【図４】は本発明の第一好ましい実施例によるレンズ群の分解模式図である。
【図５】は本発明の第一好ましい実施例によるレンズ群の設計原理の模式図である。
【図６】は本発明の第一好ましい実施例による好ましい実施例の結像光と従来のレンズ群とを比較する模式図である。
【図７】は本発明の第一好ましい実施例によるレンズ群の第一変形実施例の模式図である。
【図８】は本発明の第一好ましい実施例によるレンズ群の第二変形実施例の模式図である。
【図９】は本発明の第一好ましい実施例によるレンズ群の第三変形実施例の模式図である。
【図１０】は本発明の第一好ましい実施例によるレンズ群の第四変形実施例の模式図である。
【図１１】は本発明の第一好ましい実施例によるレンズ群の第五変形実施例の模式図である。
【図１２】は本発明の第一好ましい実施例による一部分の変形実施例の模式図である。
【図１３】は本発明の第二好ましい実施例によるカメラモジュールの模式図である。
【図１４】は本発明の第三好ましい実施例によるカメラモジュールの模式図である。
【図１５】は本発明の第四好ましい実施例によるカメラモジュールの模式図である。
【図１６】は本発明の第五好ましい実施例によるカメラモジュールの模式図である。
【図１７】は本発明の第六好ましい実施例によるカメラモジュールの模式図である。
【図１８】は本発明の第七好ましい実施例によるカメラモジュールの模式図である。
【図１９】は本発明の第八好ましい実施例によるカメラモジュールの模式図である。
【図２０】は本発明の第九好ましい実施例によるカメラモジュールの模式図である。
【図２１】は本発明の第十好ましい実施例によるカメラモジュールである。
【図２２】は本発明の第十一好ましい実施例によるカメラモジュールである。
【図２３】は本発明の第十二好ましい実施例によるカメラモジュールである。
【図２４】は本発明の第十三好ましい実施例によるカメラモジュールの模式図である。
【図２５Ａ】は本発明の第十四好ましい実施例によるカメラモジュールの模式図である。
【図２５Ｂ】は本発明の第十四好ましい実施例によるカメラモジュールの模式図である。
【図２６Ａ】は本発明の第十五好ましい実施例によるカメラモジュール及び感光アセンブリの模式図である。
【図２６Ｂ】は本発明の第十五好ましい実施例によるカメラモジュール及び感光アセンブリの模式図である。
【図２７Ａ】は本発明の第十六好ましい実施例によるカメラモジュール及び感光アセンブリの模式図である。
【図２７Ｂ】は本発明の第十六好ましい実施例によるカメラモジュール及び感光アセンブリの模式図である。
【図２８Ａ】は本発明の第十七好ましい実施例によるカメラモジュール及び感光アセンブリの模式図である。
【図２８Ｂ】は本発明の第十七好ましい実施例によるカメラモジュール及び感光アセンブリの模式図である。
【図２９】は本発明の第十五好ましい実施例によるアレイカメラモジュールの模式図である。
【図３０】は本発明の第十六好ましい実施例によるアレイカメラモジュールの模式図である。
【図３１】は本発明の上記好ましい実施例によるレンズ群の製造方法の模式図である。
【図３２】は本発明の上記好ましい実施例によるカメラモジュールの応用の模式図である。
【発明を実施するための形態】
【００５８】
以下の記載は、当業者に本発明を達成可能にするために本発明を開示するものである。以下に記載の好ましい実施例は、あくまでも例示であって、当業者はその他の自明の変形例を想到することができる。以下の記載で規定される本発明の一般的な原理は、他の実施形態、変形形態、改良形態、同等形態及び本発明の主旨及び範囲を逸脱しない他の技術案に適用することができる。
【００５９】
当業者は理解すべきことは、本発明の開示において、専門用語「縦方向」、「横方向」、「上」、「下」、「前」、「後」、「左」、「右」、「鉛直」、「水平」、「頂」、「底」、「内」、「外」等で示す方位又は位置関係は、添付図面に基づいて示す方位又は位置関係であり、あくまでも本発明の説明を分かりやすく簡単にするためのものであって、該装置又は素子が必ず特定の方位を有し、特定の方位で構造・操作されることを示す又は示唆するものではないので、上記用語について、本発明を限定するものと理解されるべきではない。
【００６０】
専門用語「一」は「少なくとも１つ」又は「１つ又は複数」と理解されるべきであり、即ち、１つの実施例では、１つの要素の数は１つであり得、他の実施例では、該要素の数は複数であり得、技術用語「一」は、数を限定するものと理解されるべきではない。
【００６１】
スマート電子デバイスの発展につれて、カメラモジュールへの要求も益々高くなり、例えば、スマートフォンは超薄、大スクリーン、縁除去化、高画質の方向に進んでいる。以上の記載からわかるように、カメラモジュールは異なる部材で構成するものであり、高速の発展につれて、部材の簡素化はほぼ極限に達しており、更に発展すると、各部材の可能な改良を研究するだけではなく、各部材間の合わせを考慮して関係を改良する必要もある。本発明によれば、光学結像の品質を確保したうえで、カメラモジュールのレンズ群を改良してその体形を小さくしたレンズ群を提供し、更に、前記レンズ群と他の部材、例えば、感光アセンブリとの間の構成を合わせることで、カメラモジュールの全体寸法を小さくすると共に外部形状をより一致させ、電子デバイスへの取付により一層適させる。
【００６２】
図２から図６示すように、本発明のこの好ましい実施例によるカメラモジュール１００である。前記カメラモジュール１００は一レンズ群１０と一感光アセンブリ３０とを備え、前記レンズ群１０は前記感光アセンブリ３０の感光経路に位置し、前記レンズ群１０は超狭レンズ群１０とであり、縁除去化レンズ群１０とも称する。
【００６３】
更に、本発明のこの実施例では、前記レンズ群１０の形状は前記感光アセンブリ３０の形状に合わせることで、前記カメラモジュール１００を一超狭カメラモジュール１００にする。
【００６４】
具体的には、前記レンズ群１０は少なくとも１つの縁除去化レンズと一縁除去化鏡筒１２とを備え、前記縁除去化レンズは前記縁除去化鏡筒１２内に取り付けられている。前記縁除去化レンズの少なくとも一部の円形辺縁が除去されることで、前記縁除去化レンズの体形を円形に対して小さくなると共に迷光を少なくするメリットが生じている。更に、前記縁除去化鏡筒１２は円形鏡筒に対して少なくとも一部の円形辺縁が除去されることで、前記レンズ群１０の体形全体を小さくすると共に前記レンズ群１０の縁除去化された形状は他の部材との合わせにより一層適する。前記縁除去化レンズの縁除去化は円形レンズの円形辺に対するものであり、つまり、前記円形レンズの辺縁が１つの完全な円にならないように円形レンズの少なくとも一部の円形辺縁を除去又は交換する。
【００６５】
更に、前記レンズ群１０は複数のレンズ１１を備え、そのうちの少なくとも１つは前記縁除去化レンズであり、少なくとも１つは円形レンズである。前記縁除去化レンズの数及び前記縁除去化レンズの位置は必要に応じて選択することができる。前記円形レンズ及び縁除去化レンズはそれぞれ前記縁除去化鏡筒内に取り付けられている。
【００６６】
本発明のこの実施例では、４枚前記レンズ１１で構成する前記レンズ群１０を例に概略的に説明したが、本発明の他の実施例では、前記レンズ１１の数は他の、例えば２枚、３枚、５枚及び５枚より多いなどであってもよい。レンズの数量が異なる前記レンズ群１０において、具体的な必要に応じて相応のレンズ１１の形状を設計してそのうちの少なくとも１枚の前記レンズ１１を前記縁除去化レンズにしてもよい。
【００６７】
より具体的には、本発明のこの実施例及び図に示すように、１枚の前記レンズ１１は縁除去化レンズであり、残りの３枚は円形レンズであり、前記縁除去化レンズは最底部に位置している。勿論、本発明の他の実施例では、前記縁除去化レンズの数は他の、例えば２枚、３枚、４枚であってもよく、前記縁除去化レンズの位置は必要に応じて４枚の前記レンズ１１から選択してもよく、当業者は、本発明がその面に制限されないことを理解するはずである。
【００６８】
本発明のこの実施例及び図面では、前記レンズ群１０の４枚の前記レンズ１１は物体側から像側にかけてそれぞれ、一第一レンズ１１１、一第二レンズ１１２、一第三レンズ１１３及び一第四レンズ１１４である。かつ、４枚の前記レンズ１１の体形は物体側から像側にかけて漸増する。つまり、前記レンズ群１０の前記レンズ１１の体形は前記感光アセンブリ３０に近づくほど大きくなる。例えば、この実施例では、前記第四レンズ１１４の体形は最大である。ところで、各前記レンズ１１は前記縁除去化鏡筒１２内に取り付けられており、前記縁除去化鏡筒１２の軸方向寸法が一致している場合、体形が最大である前記レンズ１１により前記レンズ群１０の体積全体を決めるが、本発明のこの実施例では、最大の前記レンズ１１である前記第四レンズ１１４は縁除去化レンズであるので、前記縁除去化鏡筒１２の形状はそれに伴って変化し、前記レンズ群１０の体形全体は小さくなる。即ち、この実施例では、前記第一レンズ１１１、前記第二レンズ１１２、前記第三レンズ１１３は円形レンズであり、前記第四レンズ１１４は前記縁除去化レンズである。勿論、本発明の他の実施例では、体型が最大の前記レンズ１１を縁除去化するのではなく、他の前記レンズ１１を選択して縁除去化設計を行ってもよく、本発明はその面に制限されない。
【００６９】
ところで、本発明のこの実施例では、４枚の前記レンズ１１が漸増する形状を例に説明したが、本発明の他の実施例では、各前記レンズ１１は他の形状レイアウト、例えば大きさが同じようなレイアウトであってもよく、例えば、中央に位置するレンズは大きさが同じであり、前端に位置するのは大きさが最小であり、底端に位置するのは大きさが最大であり、例えば、前端に位置するのは大きさが最小であり、後端に位置するのは全て大きさが同じである。本発明では、底端のレンズは大きさが最大であることが好ましい。
【００７０】
前記感光アセンブリ３０は一感光チップ３１を備え、縁除去化に設計された前記レンズ１１は前記感光チップ３１の形状及び寸法に応じて縁除去化に設計される。つまり、前記縁除去化レンズを前記カメラモジュール１００の画質を確保するように前記感光チップ３１を参考して設計する。特に、ある実施例では、前記縁除去化レンズの設計は前記感光チップ３１の感光領域の形状及び寸法に応じて行われる。
【００７１】
前記レンズ群１０の体型を小さくするために縁除去化設計を行っており、前記レンズ群１０のうちの最大の前記レンズ１１である像側に最も近づく前記第四レンズ１１４の体型を前記感光チップ３１の寸法に応じて縮減するのが好ましい。特に、ある実施例では、前記第四レンズ１１４を前記感光チップ３１に相応する大きさに縮減する。
【００７２】
ところで、図５及び図６に示すように、前記レンズ群１０の前記縁除去化レンズは少なくとも１つの弦辺を更に備え、即ち、前記第四レンズ１１４は一弦辺１１４１を備える。完全な円形レンズについては、像側に最も近づく前記第四レンズ１１４の前記弦辺１１４１により前記第四レンズ１１４の体型を相応的に縮減させる。つまり、前記弦辺１１４１付き前記第四レンズ１１４は相応の円形レンズよりも体形が小さくなる。尚、本発明の好ましい実施例では、前記第四レンズ１１４の前記弦辺１１４１は前記第四レンズ１１４の円の断面図において元の円辺でない線分で構成された辺縁部分である。つまり、前記レンズ群１０の前記第四レンズ１１４は少なくとも１つの円辺１１４２を更に備える。尚、前記第四レンズ１１４の前記弦辺１１４１は直線分だけでなく、弧形の線分又は前記感光アセンブリ３０の前記感光チップ３１に合わせるための何れか一線分であってもよい。完全な円形レンズについては、前記弦辺１１４１は完全な円形に対して一部が欠如するレンズ１１の辺縁であることを理解できる。そして、前記第四レンズ１１４及び前記レンズ群１０の体型を小さくするには、前記弦辺１１４１はカギの作用を有する。
【００７３】
言い換えれば、前記縁除去化レンズの辺縁は前記縁除去化レンズ１１の辺縁が１つの完全な円にならないように少なくとも二部分の曲率が異なる線分を隣接させて構成されている。即ち、前記弦辺１１４１及び前記円辺１１４２が隣接して前記レンズ１１の辺縁を形成し、前記弦辺１１４１及び前記円辺１１４２は曲率が異なる。前記弦辺１１４１は曲率が０となり、即ち、一直線分であり、前記円辺１１４２は曲率が>０となり、即ち、一円弧線分であるのが好ましい。
【００７４】
そして、全体的な前記レンズ１１の模式図は図５に示す。本好ましい実施例では、４枚の前記レンズ１１で構成する前記レンズ群１０において、像側に最も近づく前記第四レンズ１１４は１つの前記弦辺１１４１と１つの前記円辺１１４２とを備える。前記レンズ１１、前記第二レンズ１１２及び前記第三レンズ１１３はそれぞれ１つの前記円辺１１４２を有する。つまり、前記第一レンズ１１、前記第二レンズ１１２及び前記第三レンズ１１３は円形レンズであり、前記第四レンズ１１４は1つの縁が除去された縁除去化レンズである。
【００７５】
ところで、本発明のこの実施例では、１つの前記弦辺１１４１及び１つの前記円辺１１４２から構成する前記第四レンズ１１４を例に前記縁除去化レンズの構造設計を説明したが、本発明の他の実施例では、前記弦辺１１４１及び前記円辺１１４２の数及び形状、レイアウトなどは他の方式であってもよく、本発明はその面に制限されない。例えば、２つの前記弦辺１１４１及び２つの前記円辺１１４２、３つの前記弦辺１１４１及び３つの前記円辺１１４２、４つの前記弦辺１１４１及び４つの前記円辺１１４２などであってもよい。前記弦辺１１４１及び前記円辺１１４２の比率及び位置は異なる要求に応じて設定されることができ、例えば、対称に設置したり、非対称に設置したり、予め定められた比率に従い設置したりすることができ、本発明はその面に制限されない。
【００７６】
更に、前記レンズ群１０は少なくとも一光路素子１３を備え、前記光路素子１３は各前記レンズ１１の間に一予め定められた光線通路を形成するように隣り合う２つの前記レンズ１１の間に設けられている。前記光路素子１３はワッシャー、スペーサー、コーティングなどであってもよいことが挙げられるが、これらに限定されるものではない。前記光路素子１３の外部の辺縁形状は、対応の前記レンズ１１の辺縁を遮蔽するように前記レンズ１１の外部の形状と一致している。各前記レンズ１１及び前記光路素子１３は順次に間隔を空けて前記縁除去化鏡筒１２の内部に設けられている。
【００７７】
本発明のこの実施例では、前記レンズ１１の数量が４枚であり、相応的に、前記光路素子１３の数量が３つであり、それぞれが一第一光路素子１３１、一第二光路素子１３２及び第三光路素子１３３である。前記第一光路素子１３１は前記第一レンズ１１１と前記第二レンズ１１２との間に設けられ、前記第一光路素子１３１の外部の形状は前記第二レンズ１１２の外部の形状と一致し、前記第二光路素子１３は前記第二レンズ１１２と前記第三レンズ１１３との間に設けられ、前記第二光路素子１３の外部の形状と前記第三レンズ１１３の外部の形状と一致している。前記第三光路素子１３は前記第三レンズ１１３と前記第四レンズ１１４との間に設けられ、前記第三光路素子１３の外部の形状は前記第四レンズ１１４の外部の形状と一致している。つまり、この実施例では、前記第一光路素子１３１、前記第二光路素子１３２は外部が円形である光路素子であり、前記第三光路素子１３３は縁除去化光路素子であり、即ち、少なくとも１つの直辺と少なくとも１つの弧形辺とを有する。
【００７８】
製造過程において、各前記レンズ１１は一体的に成形されるのが好ましい。当業者は、前記レンズ１１の体型は金型による射出にて一次成形されるのが好ましいことを理解するはずである。かつ、前記円辺１１４２の円形については、前記弦辺１１４１は金型の加工・設計にかかる時間及びコストが何れも低減し、しかも使用材料が著しく少なくなった。設計に従って、金型による射出の空間形状を変更すれば、射出した後に所望の形状の前記レンズ１１を獲得することができる。また、組立てに用いられる前記光路素子１３及び前記縁除去化鏡筒１２は何れもこの形状に基づいて金型をカスタマイズした後に射出により獲得する必要がある。組立て時に、前記弦辺１１４１はある程度の案内作用を有し、前記弦辺１１４１の位置に基づいて前記レンズ１１を位置決めすることができる。
【００７９】
より具体的には、前記レンズ群１０の透光口径は最小の前記レンズ１１及び前記光路素子１３により決められる。つまり、図５の像側に最も近づく前記レンズ１１の大部は結像する作用が比較的小さい。前記弦辺１１４１を採用すると、図６に示すように、前記レンズ１１及び前記レンズ群１０の体形を小さくするだけではなく、像側に最も近づく前記レンズ１１の利用率も向上した。本好ましい実施例では、像側に最も近づく前記第四レンズ１１４を例にし、前記光路素子１３の作用により、前記第四レンズ１１４は対応的に一結像領域１１４３と一非結像領域１１４４とを形成し、前記結像領域１１４３は前記感光アセンブリ３０の前記感光チップ３１に対応し、光線が受光された主領域であり、前記非結像領域１１４４は光線の通過を阻止すると共に、少量の光線を通過させ、感光作用を奏しない。つまり、前記レンズ１１の前記結像領域１１４３は前記カメラモジュール１００に主な結像機能の基礎を提供した。
【００８０】
ところで、前記光路素子１３の作用は各前記レンズ１１の辺縁の光線を阻止し、予め定められた光路を形成して周辺の迷光を少なくすることにあるが、実際の生産過程において、前記光路素子１３は厳格的な不透光性のものではなく、かつ辺縁の光線を全て遮蔽することができるわけではない。つまり、前記レンズ１１の前記結像領域１１４３よりも、前記非結像領域１１４４は比較的少ない光線が通過される。前記非結像領域１１４４を通過した光線は前記感光アセンブリ３０の他の部分、例えば、後述する前記ベース３３、前記回路基板３２、前記電気接続素子３１３などで反射され、反射された光線は前記感光チップ３１により受光されて前記感光チップ３１の結像品質に影響する迷光になる。本発明では、前記弦辺１１４１を採用する前記第四レンズ１１４は図６示すように、その前記非結像領域１１４４の光強度が弱くなるので、形成される迷光も少なくなり、前記カメラモジュール１００の結像効果が向上する。結像効果から見ると、前記レンズ群１０の結像円には１つの漸弱の辺縁を形成している。つまり、前記レンズ１１の縁除去化設計により、非結像領域１１４４の一部の領域の光強度が弱くなり、迷光からの影響が小さくなり、結像効果には影響しないか又は比較的小さく影響する。前記レンズ１１の前記弦辺１１４１は前記結像領域１１４３に影響しないので、前記カメラモジュール１００の機能も完全に確保される。
【００８１】
ところで、前記レンズ１１の前記弦辺１１４１により、前記結像領域１１４３は、相応的に一部がなくなることなく、相応的に輝度及び結像品質の両方が漸弱する辺縁が出ている。このように、前記非結像領域１１４４が占める比率が縮小し、有効な前記結像領域１１４３を前記感光チップ３１が対応するより小さい局部に集めており、結像品質を変えない又は比較的小さく変える場合、前記レンズ１１の体型を縮小すると共に前記非結像領域１１４４に照射する光束を少なくし、迷光のソースを直接少なくした。また、ある実施例では、前記レンズ１１の前記弦辺１１４１は前記感光アセンブリ３０の前記感光チップ３１の外周と一致すべきであることは想到可能であり、このようにすると、前記レンズ１１及び前記レンズ群１０の体型を極大的に小さくする。本好ましい実施例では、像側に最も近づく前記第四レンズ１１４は、組立て時にある程度の余裕を必要とすることを考慮したため、ある程度の前記非結像領域１１４４を有する。
【００８２】
本好ましい実施例では、前記レンズ１１の体型に基づいて、前記光路素子１３及び前記縁除去化鏡筒１２は何れもこの形状に従って設計・製造される必要がある。前記光路素子１３及び前記縁除去化鏡筒１２は金型をカスタマイズしてから射出により獲得するのが好ましい。
【００８３】
具体的には、前記縁除去化鏡筒１２は前記縁除去化レンズの前記弦辺１１４１及び円辺１１４２にそれぞれ対応する少なくとも１つの弦辺部１２１と少なくとも１つの円辺部１２２とを更に備える。本好ましい実施例では、前記弦辺１１４１に直線形のものを採用するので前記弦辺部１２１にも相応的に直線状のものを採用している。直線状の前記弦辺部１２１は円形の弧形辺と比べてデバイス及び金型の加工・設計にかかる時間及びコストが何れも低減することは、前記レンズ１１の前記弦辺１１４１の製造と類似する。このように、本好ましい実施例における前記レンズ群１０、前記縁除去化鏡筒１２、後述する前記レンズ群搭載素子２０及前記感光アセンブリ３０は何れも直線又は方形の体型のものを採用し、設計・製造プロセスの面で画一され、更に生産難しさを下げると共に、相応の加工良品率が極めて向上した。
【００８４】
前記縁除去化鏡筒１２の前記弦辺部１２１及び前記縁除去化レンズの前記弦辺１１４１の数及び位置が対応し、前記弦辺１１４１の数量がそれ以外の場合、前記弦辺部１２１の位置、形状及び数も相応的に変わる。
【００８５】
より具体的には、前記縁除去化鏡筒１２の弦辺部１２１は一平面であり、前記縁除去化鏡筒１２の前記円辺部１２２は一曲面である。つまり、前記縁除去化鏡筒１２の上面図から見えるように、前記縁除去化鏡筒１２の上面図は一円弧及び一直線から構成する閉じた曲線であり、この時に、前記縁除去化鏡筒１２の形状及び前記第四レンズ１１４の上面図の形状と一致している。ところで、前記縁除去化鏡筒１２はある程度の肉厚を有するため、ここにいう一致とは、大きさが完全に同じであるということではない。勿論、本発明の他の実施例では、前記縁除去化鏡筒１２の前記弦辺部１２１及び前記円辺部１２２の数、位置及びレイアウトはその他の、例えば、２つの前記弦辺部１２１及び２つの前記円辺部１２２、３つの前記弦辺部１２１及び３つの前記円辺部１２２、４つの前記弦辺部１２１及び４つの前記円辺部１２２などであってもよい。前記弦辺部１２１及び前記円辺部１２２の比率及び位置は異なる要求に応じて設定されることができ、例えば、対称に設置したり、非対称に設置したり、予め定められた比率に従い設置したりすることができ、本発明はその面に制限されない。ところで、前記縁除去化レンズの前記弦辺１１４１は前記縁除去化鏡筒１２の前記弦辺部１２１に対応し、前記縁除去化レンズの前記円辺１１４２は前記縁除去化鏡筒１２の前記円辺部１２２に対応するため、前記レンズ１１と前記縁除去化鏡筒１２の相対位置が決めされており、従って、前記レンズ１１の取付けが更に便利になり、光路の一致性を確保するのに寄与する。つまり、前記レンズ１１の縁除去化設計は前記レンズ１１を位置決めするのに寄与するのに対して、従来の円形レンズ及び円形鏡筒において、レンズと鏡筒との間の相対位置を決めていない。
【００８６】
特に、前記縁除去化鏡筒１２の前記弦辺部１２１の設置位置を前記カメラモジュール１００の全体的な辺縁を小さくするように前記感光アセンブリ３０に合わせてもよく、そのメリットは後に詳しく説明する。
【００８７】
前記カメラモジュール１００は前記レンズ群１０を通った光線をろ過するための一光フィルター４０を備える。前記光フィルター４０として赤外カットフィルタ、ブルーガラスフィルタ、ウエハレベル赤外カットフィルタ、全透過フィルタ、可視光フィルタが挙げられるが、これらに限定されるものではない。前記光フィルター４０は一補足台座３３２(後述する)に取り付けられ、前記感光チップ３１の光線通路に位置している。
【００８８】
前記カメラモジュール１００は一レンズ群搭載素子２０を更に備え、前記レンズ群１０は前記レンズ群搭載素子２０に取り付けられ、前記レンズ群搭載素子２０は前記レンズ群１０を前記感光チップ３１の感光経路に位置させるように前記ベース３３に取り付けられている。例として、前記レンズ群搭載素子２０はそれぞれ一フィックスフォーカスカメラモジュール１００又は一オートフォーカスカメラモジュール１００を形成するように一レンズ群固定部材又は一駆動部材として実施されることができる。前記駆動部材としてピエゾモーター、ボイスコイルモーターが挙げられるが、これらに限定されるものではない。前記レンズ群搭載素子２０は駆動部材として実施されている場合、前記レンズ群搭載素子２０は前記感光アセンブリ３０に電気的に接続され、例えば、ピン、リード線などの方式にて感光アセンブリ３０に電気的に接続されている。
【００８９】
更に、本発明のこの実施例によれば、前記感光アセンブリ３０は一回路基板３２と一ベース３３とを更に備え、前記感光チップ３１は前記回路基板３２に電気的に接続され、前記ベース３３は取付位置を容易に提供して前記カメラモジュール１００に必要なバックフォーカスを形成するように前記回路基板３２に設けられている。
【００９０】
更に、前記ベース３３は前記回路基板３２に一体的に接続されている。前記ベース３３は一ベース本体３３１を備えると共に一光窓３３３を有する。前記光窓３３３は前記感光チップ３１に光線通路を提供する。言い換えれば、前記感光チップ３１は前記光窓３３３の内側に位置し、前記感光チップ３１の感光経路は前記光窓３３３の方向と一致している。
【００９１】
前記回路基板３２は一回路基板本体３２１と少なくとも１つの電子素子３２２とを備え、前記感光チップ３１は前記回路基板３２に感光情報を伝送するように前記回路基板本体３２１に電気的に接続されている。前記レンズ群１０は前記感光チップ３１により光線を受光して感光するように前記感光チップ３１の感光経路に位置している。特に、ある実施の形態では、前記感光チップ３１は表面貼り付けプロセスＳＭＴ（Ｓｕｒｆａｃｅ  Ｍｏｕｎｔ  Ｔｅｃｈｎｏｌｏｇｙ）にて前記回路基板本体３２１に設けられると共に少なくとも１つの電気接続素子３１３により前記回路基板本体３２１に電気的に接続されてもよい。前記電気接続素子３１３として金線、銀線、銅線、アルミ線、はんだ、導電性接着剤などが挙げられるが、これら限定されるものではない。
【００９２】
前記電子素子３２２は前記回路基板本体３２１に設けられ、前記電子素子３２２はＳＭＴプロセスにて前記回路基板本体３２１に貼り付けられていることが挙げられるが、これに限定されるものではない。前記電子素子３２２は抵抗器、コンデンサ、ドライバなどを備えるが、これらに限定されるものではない。
【００９３】
本発明のこの実施例では、前記ベース３３は前記回路基板本体３２１に一体的にパッケージすると共に、前記電子素子３２２を一体的に被覆することで、従来のようにカメラモジュール１００のほこり、異物の前記電子素子３２２への付着により前記感光チップ３１を汚染して結像効果に影響するのを防止する。他の変形実施例では、前記電子素子３２２は前記回路基板本体３２１に埋め込まれてもよく、即ち、前記電子素子３２２は外部に露出されなくてもよいことを理解するはずである。ところで、ある実施例では、前記電子素子３２２は前記感光チップ３１の周囲に設けられているが、異なる実施の形態では、前記電子素子３２２の設置位置を実際の必要に応じて設計してレイアウトしてもよく、例えば一側又は両側に集め、又は前記回路基板本体３２１の背面などに設け、前記感光チップ３１の設置位置及び前記電気接続素子３１３の設置位置並びに後述する前記補足台座３３２の形状に合わせることで、前記回路基板本体３２１にある空間位置をより合理的に利用して前記カメラモジュール１００の寸法をできるだけ小さくすることができる。
【００９４】
前記回路基板３２の前記回路基板本体３２１はＰＣＢ硬質板、ＰＣＢ軟質板、硬質・軟質結合板、セラミック回路基板本体３２１などであってもよい。ところで、本発明のこの好ましい実施例では、前記ベース本体３３１はこれら電子素子３２２を完全に被覆することができるので、電子素子３２２は前記回路基板本体３２１に埋め込まれなくてもよく、前記回路基板本体３２１を導通線路を形成することのみに用いることで、最終的に製造された前記感光アセンブリ３０の厚さは更に小さくなる。
【００９５】
更に、本発明の実施例によれば、前記ベース本体３３１は一体成形の方式、例えば、モールディング成形の方式にて前記回路基板３２に設けられることで、前記ベース３３と前記回路基板３２とを安定して固定すると共に、余分な取付、固定過程を少なくする。例えば、接着剤による接着過程を少なくして接続をより安定にし、接着剤による接続高さ分を省き、カメラモジュール１００ユニットの高さを下げる。
【００９６】
例として、前記ベース３３は従来のＣＯＢ(Ｃｈｉｐ  Ｏｎ  Ｂｏａｒｄ)方式と区別するように、金型によるモールディング一体成形の方式、例えば、回路基板にモールディングする方式にて前記回路基板３２に設けられることができる。金型による一体成形の方式にて、成形形状及び表面平坦度を比較的よく制御することができ、例えば、ベース本体３３１に比較的よい平坦度を持たせることで、被取付部材、例えば前記レンズ群搭載素子２０、前記光フィルター４０に平坦な取付条件を提供して前記カメラモジュール１００の光軸の一致性を向上するのに寄与する。各前記電子素子３２２は、ＳＭＴプロセスなどにて互いに間隔を空けて前記回路基板３２の辺縁領域、例えば前記感光チップ３１の外側に貼り付けられてもよい。ところで、各前記電子素子３２２はそれぞれ前記回路基板３２における同一側又は反対側に位置することができ、例えば、１つの具体的な例では、前記感光チップ３１及び各前記電子素子３２２はそれぞれ前記回路基板３２における同一側に位置すると共に、前記感光チップ３１は前記回路基板３２のチップ貼付領域に貼り付けられ、各前記電子素子３２２はそれぞれ互いに間隔を空けて前記回路基板３２の辺縁領域に貼り付けられることができる。前記ベース本体３３１は成形後に各前記電子素子３２２を被覆することで、前記ベース本体３３１により隣り合う前記電子素子３２２を離隔すると共に、前記電子素子３２２と前記感光チップ３１とを離隔している。
【００９７】
本発明の前記カメラモジュール１００において、前記ベース本体３３１により成形後に各前記電子素子３２２を被覆する方式は多くのメリットがあり、まず、前記ベース本体３３１は各前記電子素子３２２を被覆することで、隣り合う前記電子素子３２２の間に互いに干渉する不具合が発生せず、隣り合う前記電子素子３２２の距離が比較的近くても前記カメラモジュール１００の結像品質を確保することができ、このように、面積の小さい前記回路基板３２に数のより多い前記電子素子３２２を貼り付けることができることで、前記カメラモジュール１００の構造をよりコンパクトにし、前記カメラモジュール１００の寸法を制御するのに寄与したうえで前記カメラモジュール１００の結像品質を向上する。次に、前記ベース本体３３１は各前記電子素子３２２を被覆することで、水平方向でも高さ方向でも、前記ベース本体３３１と各前記電子素子３２２との間に安全距離を予め残す必要がなく、前記カメラモジュール１００の寸法を小さくすることができる。第三、前記ベース本体３３１は各前記電子素子３２２を被覆することで、前記ベース本体３３１と前記回路基板３２との間に接着剤を使用して接続とレベリングを行う必要がなく、前記カメラモジュール１００の高さ寸法を下げるのに寄与する。第四、前記ベース本体３３１は各前記電子素子３２２を被覆し、後続の搬送過程及び前記カメラモジュール１００を組み立てて前記カメラモジュール１００を形成する過程において、前記ベース本体３３１は前記電子素子３２２の揺れ及び脱落を防止することができることで、前記カメラモジュール１００の構造安定性を確保するのに寄与する。第五、前記ベース本体３３１は各前記電子素子３２２を被覆し、後続の搬送過程及び前記カメラモジュール１００を組み立てて前記カメラモジュール１００を形成する過程において、汚染物の各前記電子素子３２２への汚染を防止することができることで、前記カメラモジュール１００の結像品質を確保する。第六、前記ベース本体３３１は前記電子素子３２２を被覆した後に、前記電子素子３２２を空気から遮断することができ、このような方式にて、前記電子素子３２２における金属部分の酸化速度を遅くし、前記電子素子３２２及び前記カメラモジュール１００の環境安定性を向上するのに寄与することができる。
【００９８】
ところで、前記ベース本体３３１は前記回路基板本体３２１に一体的に成形されると共に前記回路基板３２の前記電子素子３２２を被覆することで、前記ベース本体３３１及び前記回路基板本体３２１は比較的大い接続面積を有し、接続をより安定にすると共に一体成形の方式にて比較的よい構造強度を有するので、前記ベース本体３３１は前記カメラモジュール１００の部材を堅牢、信頼的に支持して固定し、製品の良品率を確保することができる。
【００９９】
ところで、高画素のカメラモジュール１００ユニットについては、前記レンズ群１０におけるレンズ１１は数量が益々増え、例えば、４ｐ、５ｐ、６ｐ及び６ｐ以上などになり、カメラモジュール１００のレンズ群１０におけるレンズ１１の数量が増えた場合、同時に光学性能の要求を満足する必要があり、例えば、十分なバックフォーカスを提供して前記光フィルター４０の前記カメラモジュール１００の結像品質への影響、例えば結像時の黒い斑点、辺縁画像のボケなどの発生を防止する。本発明の実施例によれば、前記光フィルター４０は一体的に成形された前記ベース３３に取り付けられることで、前記光フィルター４０に平坦な取付条件を提供することができると共に、前記ベース３３の高さにより前記光フィルター４０が取り付けられる高さ位置を効率的に制御することができる。
【０１００】
前記感光チップ３１は一感光領域３１１と一非感光領域３１２とを有し、前記感光領域３１１は感光作用を奏するためのものであり、前記非感光領域３１２３１２は前記回路基板３２に電気的に接続するためのものである。本発明のこの実施例では、前記非感光領域３１２は前記電気接続素子３１３により前記回路基板３２に電気的に接続されている。
【０１０１】
発明のこの実施例では、前記感光チップ３１は前記ベース本体３３１の内側に位置し、つまり、前記ベース本体３３１により一体的にパッケージされていない。本発明のこのような実施例では、前記感光チップ３１は、前記回路基板３２に例えば粘着剤による接着により貼り付けられることで、前記感光チップ３１を安定して固定してから、前記感光チップ３１を前記電気接続素子３１３により前記回路基板３２に電気的に接続し、例えば金線をボンディングする方式にて前記回路基板３２に電気的に接続する必要がある。勿論、本発明の他の実施例では、前記感光チップ３１が前記回路基板３２に設けられる方式は他の方式、例えば、埋め込み、沈下、ＦＣ(Ｆｌｉｐ  Ｃｈｉｐ、フリップチップ)などであってもよく、当業者は前記感光チップ３１と前記回路基板３２との接続、取付方式は本発明の制限とならないことを理解するはずである。
【０１０２】
より具体的には、本発明のこの実施例では、前記ベース３３は一補足台座３３２を更に備え、前記台座は前記ベース本体３３１に補足され、閉じた前記光窓３３３を形成している。
【０１０３】
前記ベース本体３３１は前記光窓３３３に連通する一取付溝３３１１を有する。前記補足台座３３２は前記光フィルター４０に取付位置を提供するように前記取付溝３３１１に取り付けられている。
【０１０４】
更に、前記ベース本体３３１は少なくとも１つの切り欠き３３１２を備え、前記切り欠き３３１２は前記光窓３３３を外部に連通し、補足台座３３２は前記切り欠き３３１２に補足されることで、側面が閉じた前記光窓３３３を形成している。
【０１０５】
言い換えれば、このような実施例では、前記ベース本体３３１は閉じた構造ではなく、開放した構造であり、補足台座３３２のよる補足により、前記ベース本体３３１を閉じた。勿論、本発明の他の実施例では、前記ベース本体３３１は一閉じた構造であってもよい。
【０１０６】
本発明のこの実施例では、前記切り欠き３３１２は下向きに前記回路基板本体３２１まで延在している。前記補足台座３３２は少なくとも１つの台座本体３３２１と一延在脚３３２２とを備え、前記延在脚３３２２は前記切り欠き３３１２を閉じるように前記台座本体３３２１から下向きに前記回路基板本体３２１まで一体的に延在している。前記延在脚３３２２は接着の方式にて前記回路基板本体３２１及び/又は前記ベース本体３３１に接続されていることが挙げられるが、これに限定されるものではない。前記台座本体３３２１は前記取付溝３３１１に取り付けられている。
【０１０７】
ところで、本発明のこの実施例では、前記縁除去化鏡筒１２の前記弦辺部１２１は前記補足台座３３２の前記延在脚３３２２の位置に対応することで前記延在脚３３２２が位置する方向において辺縁をより狭くすることができる。この実施例では、前記電子素子３２２を前記ベース本体３３１が位置する側、例えば、前記延在脚３３２２に対向する側に集中的に設けることができることで、前記延在脚３３２２が位置する側に前記電子素子３２２を設ける必要がなく、前記電子素子３２２の取付位置を予め残す必要がなく、つまり、前記感光チップ３１の方は前記回路基板本体３２１の辺縁により近く、前記延在脚３３２２は他の方式、例えば射出成形の方式にて形成されることができるので、前記延在脚３３２２の厚さは前記ベース本体３３１の肉厚に対して更に小さくなり、前記縁除去化鏡筒１２の前記弦辺部１２１も狭辺縁化の傾向であるので、両者を互いに合わせることで、カメラモジュール１００の全体寸法をより小さくすることができる。
【０１０８】
勿論、上記からわかるように、従来のＣＯＢプロセスの方式と比べて、前記ベース３３を一体的に成形する方式は多くのメリットを取られ、その中にはベース３３の寸法を内方へ縮減するメリットを備え、つまり、前記補足台座３３２がない場合、前記レンズ群１０は体積が小さくなった前記ベース３３に合わせることでも、前記カメラモジュール１００の寸法を小さくすることできる。
【０１０９】
一方、一体成形の方式にて前記ベース３３の寸法を小さくするには、前記レンズ群１０及び/又は前記レンズ群搭載素子２０を前記ベース３３に取り付ける必要があるので、前記ベース３３は十分な取付面積を提供する必要があり、従って、前記ベース３３の寸法は従来の寸法が比較的大いレンズ群１０に対して小さすぎてはならず、つまり、前記ベース３３の小型化の寸法は従来のレンズ群１０の大きさに制限される。本発明では、前記レンズ群１０の縁除去化設計により、前記レンズ群１０の全体寸法を小さくし、前記ベース３３の取付に必要な寸法を小さくすることで、前記ベース３３を更に小型化することができ、これより見えるように、前記レンズ群１０と前記ベース３３又は前記感光アセンブリ３０との設計は互いに合わせることで、前記カメラモジュール１００の全体を更に小型化することができ、前記レンズ群１０を個別に小型化すること、又は前記感光アセンブリ３０を個別に小型化することによる効果は若干劣る。
【０１１０】
本発明のこの実施例では、前記ベース本体３３１は一内側壁を有し、前記内側壁は傾斜角を有することで、金型の製造を容易にすると共に、迷光の前記感光チップ３１への反射を少なくする。例えば、前記側壁は垂直角度である場合、前記ベース本体３３１に至った光線の入射角は比較的大きいので、光線の反射角が比較的大きく、比較的に内側へ反射しやすく、即ち、前記感光チップ３１が位置する位置へ反射しやい。前記内側壁は傾斜している場合、光線の入射角は比較的小さく、同じ方向に入射する光線、反射された光線の方向は前記感光チップ３１が位置する位置から遠ざかることで、傾斜の設置方式は迷光からの干渉を少なくするのに寄与する。前記傾斜角の大きさは要求に応じて設置することができる。勿論、ある実施例では、前記ベース本体３３１の前記内側壁は鉛直に設置することができ、つまり、前記傾斜角が存在しない。
【０１１１】
図７から図９示すように、本発明の第一好ましい実施例による前記レンズ群１０の異なる変形実施の形態である。これら実施の形態に示す前記縁除去されたレンズ１１の前記弦辺１１４１と前記円辺１１４２とが変わられる。
【０１１２】
例えば、図７に示す方式において、前記レンズ群１０の前記縁除去化レンズである前記第四レンズ１１４は２つの前記弦辺１１４１と２つの前記円辺１１４２とを備える。つまり、円形レンズに対して、前記縁除去化レンズは２つの辺縁位置で狭くなる。特に、２つの前記弦辺１１４１は対称に分布されることができる。
【０１１３】
相応的に、前記縁除去化鏡筒１２は２つの前記弦辺部１２１と２つの前記円辺部１２２とを備え、特に、２つの前記弦辺部１２１が対称に設けられている。従来の円形鏡筒に対して、前記縁除去化鏡筒１２は２つの方向に縁除去化設計を行うことで、前記レンズ群１０を２つの位置で狭くする。
【０１１４】
特に、前記第四レンズ１１４の２つの前記弦辺１１４１は曲率が０となり、２つの前記円辺１１４２は曲率が>０となる。つまり、２つの前記弦辺１１４１は直線であり、２つの前記円辺１１４２は円弧線である。
更に、前記縁除去化鏡筒１２の前記弦辺部１２１及び前記円辺部１２２の外辺縁はそれぞれ前記弦辺１１４１及び前記円辺１１４２に対応している。
【０１１５】
図８に示す方式において、前記レンズ群１０の前記縁除去化レンズである前記第四レンズ１１４は３つの前記弦辺１１４１と３つの前記円辺１１４２とを備える。つまり、円形レンズに対して、前記縁除去化レンズは３つの辺縁位置で狭くなる。特に、３つの前記弦辺１１４１は対称に分布されることができる。
【０１１６】
相応的に、前記縁除去化鏡筒１２は３つの前記弦辺部１２１と３つの前記円辺部１２２とを備え、特に、３つの前記弦辺部１２１は対称に設けられている。従来の円形鏡筒に対して、前記縁除去化鏡筒１２は３つの方向に縁除去化設計を行うことで、前記レンズ群１０を３つの位置で狭くする。
【０１１７】
特に、前記第四レンズ１１４の３つの前記弦辺１１４１は曲率が０となり、３つの前記円辺１１４２が曲率が>０となる。つまり、３つの前記弦辺１１４１は直線であり、３つの前記円辺１１４２は円弧線である。
更に、前記縁除去化鏡筒１２の前記弦辺部１２１及び前記円辺部１２２の外辺縁はそれぞれ前記弦辺１１４１及び前記円辺１１４２に対応している。
【０１１８】
図９に示す方式において、前記レンズ群１０の前記縁除去化レンズである前記第四レンズ１１４は４つの前記弦辺１１４１と４つの前記円辺１１４２とを備える。つまり、円形レンズに対して、前記縁除去化レンズは４つの辺縁位置で狭くなる。特に、４つの前記弦辺１１４１は対称に分布されることができる。
【０１１９】
相応的に、前記縁除去化鏡筒１２は４つの前記弦辺部１２１と４つの前記円辺部１２２とを備え、特に、４つの前記弦辺部１２１は対称に設けられている。従来の円形鏡筒に対して、前記縁除去化鏡筒１２は４つの方向に縁除去化設計を行うことで、レンズ群１０を４つの位置で狭くする。
【０１２０】
特に、前記第四レンズ１１４の４つの前記弦辺１１４１は曲率が０となり、４つの前記円辺１１４２は曲率が>０となる。つまり、４つの前記弦辺１１４１は直線であり、４つの前記円辺１１４２は円弧線である。
更に、前記縁除去化鏡筒１２の前記弦辺部１２１及び前記円辺部１２２の外辺縁はそれぞれ前記弦辺１１４１及び前記円辺１１４２に対応している。
【０１２１】
図１０及び図１１示すように、本発明の第一好ましい実施例による前記レンズ群１０の異なる変形実施の形態である。これら実施例では、前記レンズ群１０における前記縁除去化レンズは数量が変わられることを示す。
【０１２２】
図１０に示す方式において、前記レンズ群１０における２つの前記レンズ１１は縁除去化されている。図に示すように、それぞれが第三レンズ１１３及び前記第四レンズ１１４であり、かつ前記第三レンズ１１３及び前記第四レンズ１１４はそれぞれ一弦辺１１４１と一円辺１１４２とを備える。勿論、本発明の他の実施例では、２つの前記縁除去化されたレンズ１１は他の任意の２つのレンズ１１であってもよい。前記弦辺１１４１及び前記円辺１１４２の数はその他の、例えば図７から図９に示す数であってもよい。相応的に、前記縁除去化鏡筒１２の内側の形状は前記レンズ１１の形状に応じて変わる。
【０１２３】
図１１に示す方式において、前記レンズ群１０における３つの前記レンズ１１は縁除去化されている。図に示すように、それぞれが第二レンズ１１２、第三レンズ１１３及び前記第四レンズ１１４であり、かつ第二レンズ１１２、前記第三レンズ１１３及び前記第四レンズ１１４はそれぞれ一弦辺１１４１と一円辺１１４２とを備える。勿論、本発明の他の実施例では、３つの前記縁除去化されたレンズ１１は他の任意の３つのレンズ１１であってもよい。前記弦辺１１４１及び前記円辺１１４２の数は他の、例えば図７から図９に示す数であってもよい。相応的に、前記縁除去化鏡筒１２の内側の形状は各前記レンズ１１の形状に応じて変わる。
【０１２４】
前記第一好ましい実施例では、前記レンズ群１０は接着固定の方式にて前記レンズ群搭載素子２０に取り付けられることができ、特に、前記縁除去化鏡筒１２は外部が平坦であり、ねじ構造を有さない。図１２に示すように、本発明の第一好ましい実施例によるカメラモジュール１００の他の一変形実施の形態において、前記縁除去化鏡筒１２は外部にねじを有し、つまり、前記レンズ群１０は縁除去化された後にねじ構造を有する前記レンズ群搭載素子２０に応用されることができる。
【０１２５】
図１３に示すように、本発明の第二好ましい実施例によるカメラモジュール１００である。この実施例では、前記電子素子３２２は前記回路基板本体３２１の底部に設けられている。従って、前記回路基板本体３２１の頂部に前記電子素子３２２の取付空間を予め残す必要がないことで、前記ベース本体３３１及び前記補足台座３３２の設計をより柔軟にし、前記回路基板本体３２１の要求はどんどん少なくなり、かつ前記レンズ群１０に対して相応的に縁除去化設計を行うことで、前記カメラモジュール１００の全体寸法を小さくする。
【０１２６】
更に、ある実施の形態では、示すベース本体３３１は前記回路基板本体３２１の背面に位置する前記電子素子３２２を一体的にパッケージすることで、前記電子素子３２２を被覆している。
【０１２７】
図１４に示すように、本発明の第三好ましい実施例によるカメラモジュール１００である。このような方式において、前記電子素子３２２は前記回路基板本体３２１の背面に設けられている。前記ベース３３は接着方式にて前記回路基板本体３２１に取り付けられ、つまり、従来のベースはこのような実施例に適用されることができるが、前記電子素子３２２の空間位置を予め残す必要がないため、ベース３３の寸法を小さくすると共に、前記レンズ群１０の縁除去化設計により、前記カメラモジュール１００の寸法を小さくすることができる。
【０１２８】
更に、ある実施例では、前記電子素子３２２を被覆する一モールディング基台を設けることができる。つまり、一体成形の方式にて前記回路基板本体３２１の背面に位置する前記電子素子をパッケージすることで、その組立てをより安定させる。
【０１２９】
図１５に示すように、本発明の第四好ましい実施例によるカメラモジュール１００である。このような方式において、前記ベース３３は一ベース本体３３１を備えると共に一光窓３３３を有する。前記ベース本体３３１は前記回路基板３２に一体的に成形され、前記光窓３３３を形成している。この実施例では、前記ベース本体３３１は一閉じた構造であり、つまり、前記ベース本体３３１は前記切り欠き３３１２を有さない。前記ベース本体３３１は一取付溝３３１１を有し、前記光フィルター４０は前記取付溝３３１１に取り付けられている。
【０１３０】
図１６に示すように、本発明の第五好ましい実施例によるカメラモジュール１００である。このような方式において、前記ベース３３は一ベース本体３３１と一補足台座３３２とを備える。前記ベース本体３３１は前記回路基板３２に一体的に成形され、前記光窓３３３を形成しており、この実施例では、前記ベース本体３３１は一閉じた構造であり、つまり、前記ベース本体３３１は前記切り欠き３３１２を有さない。前記ベース本体３３１は一取付溝３３１１を有し、前記補足台座３３２は前記取付溝３３１１に取り付けられ、前記光フィルター４０は前記補足ベース３３に取り付けられている。この方式において、前記補足台座３３２は前記延在脚３３２２を有さず、つまり、前記補足台座３３２は回路基板３２に直接接続されない点で第一好ましい実施例とは異なる。
【０１３１】
更に、前記補足台座３３２は前記光窓３３３内に沈下することで、前記光フィルター４０を前記感光チップ３１に更に近くし、前記カメラモジュール１００のバックフォーカスを小さくする。
【０１３２】
図１７に示すように、本発明の第六好ましい実施例によるカメラモジュール１００の模式図である。前記回路基板本体３２１は一沈下領域３２１１を有し、前記感光チップ３１は前記感光チップ３１と前記回路基板本体３２１との相対高さを下げるように前記沈下領域３２１５に沈下して設けられている点で、第一実施例とは異なる。
【０１３３】
前記沈下領域３２１５は一凹溝又は貫通孔として実施されることができる。つまり、前記回路基板本体３２１の両側空間を連通させない又は連通させることができる。前記沈下領域３２１５は凹溝である場合、前記感光チップ３１は溝底に設けられると共に、前記電気接続素子３１３を介して前記回路基板本体３２１に電気的に接続されている。前記電気接続素子３１３の外端は前記凹溝の溝底に電気的に接続されることができるし、前記沈下領域３２１５の外側に電気的に接続されることもでき、本発明はその面に制限されない。更に、前記感光チップ３１の頂面を前記回路基板本体３２１の頂面と一致し、又は前記回路基板本体３２１の頂面よりも高くし、若しくは前記回路基板本体３２１の頂面よりも低くすることができ、つまり、本発明は沈下深さを制限しない。
【０１３４】
更に、本発明のこの実施例の図において、前記沈下領域３２１５は一貫通孔であり、つまり、前記回路基板３２の両側は前記貫通孔により連通している。前記カメラモジュール１００の前記回路基板３２は、回路基板本体３２１の底部に積層されて設けられることで、前記感光チップ３１を支持すると共に前記回路基板本体３２１の構造強度を補強する一底板３２３を備える。つまり、前記感光チップ３１は前記沈下領域３２１５に沈下して設けられると共に前記底板３２３により支持されている。前記感光チップ３１は前記電気接続素子３１３を介して前記回路基板本体３２１に電気的に接続されている。
ある実施例では、前記底板３２３は貼着の方式にて前記回路基板本体３２１の底部に設けられる一金属板であることができる。
図１８に示すように、本発明の第七好ましい実施例によるカメラモジュール１００である。
【０１３５】
前記カメラモジュール１００の前記感光アセンブリ３０の前記ベース３３は前記感光チップ３１における少なくとも一部の前記非感光領域３１２を一体的にパッケージしている。言い換えれば、前記ベース３３は前記回路基板３２と前記感光チップ３１とを一体的に成形してパッケージすることで、前記感光チップ３１を安定して固定すると共に、前記ベース３３の成形可能な領域を大きくする。前記ベース３３は前記電気接続素子３１３を被覆している。
【０１３６】
ところで、上記第一実施例におけるベース３３を前記回路基板のみに成形する方式に対して、感光チップにモールディング成形する方式にて前記ベース３３における一体成形可能の範囲を前記感光チップ３１の前記非感光領域３１２まで広げることで、前記感光チップ３１の正常な感光作動に影響しない場合、前記ベース３３の底部の接続面積を大きくすることができ、これにより前記ベース３３と前記回路基板３２と前記感光チップ３１とをより安定して接続させると共に頂部により他の部材、例えば、前記レンズ群１０、前記レンズ群搭載素子２０などにより大きい取付可能な面積を提供することができる。かつ、前記電気接続素子３１３は前記ベース３３により被覆されることで、外部からの前記電気接続素子３１３への干渉を避けると共に、前記電気接続素子３１３は酸化又はほこりの付着による前記カメラモジュール１００の結像品質への影響を防止する。
【０１３７】
このような実施の形態では、前記ベース３３は製造の過程において金型を支持して、前記回路基板又は前記感光チップ３１への損傷を防止するための一支持素子３３４を備える。つまり、製造過程において、前記製造金型を前記支持素子３３４に当接させることで、金型を前記回路基板又は前記感光チップ３１に直接接触させないようにすると共に、成形材料の内側への溢れを防止する。
【０１３８】
更に、前記支持素子３３４は前記ベース本体３３１の形状に一致する環状構造であることができる。前記支持素子３３４は弾性を有し、接着剤塗布層又はゴムパッドが挙げられるが、これらに限定されるものではない。
図１９に示すように、本発明の第八好ましい実施例によるカメラモジュール１００である。
【０１３９】
この実施例では、前記回路基板本体３２１は一沈下領域３２１５を有し、前記感光チップ３１は沈下して前記沈下領域３２１５に設けられることで、前記感光チップ３１と前記回路基板本体３２１との相対高さを下げる。
【０１４０】
沈下領域３２１５は一凹溝又は貫通孔として実施されることができる。つまり、前記回路基板本体３２１の両側を連通させない又は連通させることができる。前記沈下領域３２１５は凹溝である場合、前記感光チップ３１は溝底に設けられると共に、前記電気接続素子３１３を介して前記回路基板本体３２１に電気的に接続されている。前記電気接続素子３１３の外端は前記凹溝の溝底に電気的に接続されることができるし、前記沈下領域３２１５の外側に電気的に接続されることもでき、本発明はその面に制限されない。更に、前記感光チップ３１の頂面を前記回路基板本体３２１の頂面と一致させ、又は前記回路基板本体３２１の頂面よりも低くし、若しくは前記回路基板本体３２１の頂面より高くすることができ、つまり、本発明は沈下深さを制限しない。
更に、本発明のこの実施例の図において、前記沈下領域３２１５は一貫通孔であり、つまり、前記回路基板３２の両側空間は前記貫通孔により連通している。
【０１４１】
前記カメラモジュール１００の前記感光アセンブリ３０の前記ベース３３は前記感光チップ３１における少なくとも一部の前記非感光領域３１２を一体的にパッケージしている。言い換えれば、前記ベース３３は前記回路基板と前記感光チップ３１とを一体的に成形してパッケージすることで、前記感光チップ３１を安定して固定すると共に、前記ベース３３の成形可能な領域を大きくする。前記ベース３３は前記電気接続素子３１３を被覆している。
【０１４２】
ところで、上記第一実施例におけるベース３３を前記回路基板のみに成形する方式に対して、感光チップにモールディング成形する方式にて前記ベース３３における一体成形可能の範囲を前記感光チップ３１の前記非感光領域３１２まで広げることで、前記感光チップ３１の正常な感光作動に影響しない場合、前記ベース３３の底部の接続面積を大きくすることができ、これにより前記ベース３３と前記回路基板３２と前記感光チップ３１とをより安定して接続させると共に頂部により他の部材、例えば、前記レンズ群１０、前記レンズ群搭載素子２０などにより大きい取付可能な面積を提供することができる。かつ、前記電気接続素子３１３は前記ベース３３により被覆されることで、外部からの前記電気接続素子３１３への干渉を避けると共に、前記電気接続素子３１３は酸化又はほこりの付着による前記カメラモジュール１００の結像品質への影響を防止する。
【０１４３】
この実施例では、前記感光チップ３１及び前記電気接続素子３１３は、前記ベース３３により一体的にパッケージされているため、前記ベース３３により前記感光チップ３１を固定することができる。前記回路基板３２の底部に一底板３２３を設けてもよいし、前記底板３２３を設けなくてもよい。
図２０に示すように、本発明の第九好ましい実施例によるカメラモジュール１００の模式図である。
【０１４４】
前記光フィルター４０は前記感光アセンブリ３０に対応的に設けられ、前記ベース３３は成形後に、前記感光アセンブリ３０と前記光フィルター４０とを一体式の構造を形成するように一体に結合している。つまり、前記光フィルター４０は一体成形の方式にて前記ベース３３に設けられ、個別の方式、例えば、接着方式にて前記ベース３３に設けられているのではない点で、上記実施例とは異なる。
【０１４５】
前記光フィルター４０は、前記光フィルター４０と前記感光アセンブリ３０との間に少なくとも１つの密閉空間を形成するように、前記感光アセンブリ３０に対応的に設けられ、前記感光アセンブリ３０の前記感光チップ３１の前記感光領域はそれぞれ、モールディングプロセスを行って前記ベース３３を形成する過程において、前記ベース３３を形成するための成形材料が前記密閉空間に進入しないように前記密閉空間に位置することで、前記ベース３３を前記密閉空間の外部のみに形成しており、前記ベース３３は、成形後に、前記回路基板３２の一部と前記光フィルター４０の一部とを被覆すると共に、前記ベース３３は前記光窓３３３を有し、前記感光チップ３１の前記感光領域は前記光窓３３３より前記レンズ群１０及び前記感光チップ３１に一光線通路を提供するように前記光窓３３３に対応している。
図２１は本発明の第十好ましい実施例によるカメラモジュール１００である。
【０１４６】
本発明のこの実施例では、前記感光アセンブリ３０は一遮蔽レンズ１４を備え、前記遮蔽レンズ１４は前記感光チップ３１の上方に設けられ、前記遮蔽レンズ１４は前記ベース３３により一体的にパッケージされている。物体で反射される光線は前記レンズ群１０及び前記遮蔽レンズ１４から前記カメラモジュール１００の内部に進入し、後続で前記感光チップ３１で受光されて光電変換されることで、物体に関連付けられる映像を得る。前記遮蔽レンズ１４を設けることで、光学上のＴＴＬ（レンズ群１０の透光孔の上面にあるレンズ群１０平面からチップの感光平面までの距離)を小さくすることができ、これにより、光学性能に影響しないことを前提として、前記カメラモジュール１００の寸法を更に小さくし、寸法の小さいカメラモジュール１００が搭載される電子デバイスの要求を満足することができる。同時に、前記遮蔽レンズ１４を設けることで、汚れに対する感度を低下させることができる。例えば、ある実施例では、汚れに対する感度を５０％低下させることができる。
【０１４７】
本発明のこの好ましい実施例では、前記遮蔽レンズ１４は熱硬化性のレンズとして実施されることが好ましく、即ち、前記遮蔽レンズ１４は熱硬化レンズとして実施されることで、前記遮蔽レンズ１４はモールディングプロセスを行うときにモールディングプロセス中の環境温度に耐えることができる。例えば、一実施例のモールディングプロセス中に１８０℃のモールディング環境温度に耐えることができる。つまり、モールディングプロセスの前に、耐高温でかつ熱硬化処理された前記遮蔽レンズ１４は前記支持素子３３４に接続されると共に、前記回路基板３２及び前記感光チップ３１と共に金型に置かれ、流体となる固化モールディング材料は前記支持素子３３４及び前記遮蔽レンズ１４の外表面を囲んで前記ベース３３をモールディングして一体的に成形することで、前記ベース３３は前記回路基板３２に一体に成形されることができ、つまり、前記ベース３３と、前記回路基板３２と、前記遮蔽レンズ１４は一体構造として形成される。当業者は本発明の前記遮蔽レンズ１４が熱硬化レンズだけでなく、他の性質のレンズ１１であってもよく、本発明はここに限定されるものではないことを理解するはずである。
【０１４８】
更に、前記遮蔽レンズ１４は一レンズ本体１４１と前記レンズ本体１４１の周囲に設けられる一レンズ周縁１４２とを備える。前記遮蔽レンズ１４は精密光学素子であるため、前記レンズ本体１４１の辺縁は比較的薄い。前記レンズ本体１４１の辺縁に設けられると共に一体的に接続される前記レンズ周縁１４２は肉厚式ブラケットの設計であり、前記レンズ本体１４１を搭載することができ、これにより前記レンズ本体１４１の光学性能に影響しないと共に、前記レンズ本体１４１を金型において前記ベース３３に一体的にモールディングして接続することができる。つまり、前記ベース３３が成形される前に、前記遮蔽レンズ１４の前記レンズ周縁１４２は前記感光チップ３１の前記非感光領域３１２に設けられ、前記遮蔽レンズ１４の前記レンズ本体１４１は前記感光アセンブリ３０の前記感光チップ３１の感光経路に設けられ、前記ベース３３が成形された後に、前記ベース３３は前記回路基板３２と、前記感光チップ３１の少なくとも一部の前記非感光領域３１２と、前記支持素子３３４の少なくとも一部と、前記遮蔽レンズ１４の前記レンズ周縁１４２とを被覆することで、前記感光アセンブリ３０を形成する。
【０１４９】
ところで、前記遮蔽レンズ１４も前記縁除去化レンズであってもよく、これにより前記レンズ１１の辺縁部分を小さくし、前記遮蔽レンズ１４の面積を小さくことで、前記遮蔽レンズ１４を前記レンズ群１０の形状に対応させる。
図２２は本発明の第十一好ましい実施例によるカメラモジュール１００である。
【０１５０】
前記回路基板本体３２１は一第一板体３２１１と一第二板体３２１２とを備え、前記第一板体３２１１と前記第二板体３２１２とは一接続媒体３２１３を介して固定されて接続されている。前記第一板体３２１１は一硬質板であることができ、前記第二板体３２１２は一軟質板であることができ、前記接続媒体３２１３はＡＣＦ導電性接着剤であることができる。前記第二板体３２１２は一インターフェイスを備えてもよく、例えば、一電子デバイス一に電気的に接続するように一コネクタを設ける。
【０１５１】
ある実施例では、前記ベース本体３３１は前記第一板体３２１１に一体的に成形され、前記第二板体３２１２は前記第一板体３２１１の一端部にラップされている。製造過程において、前記第一板体３２１１及び前記第二板体３２１２により前記回路基板本体３２１を形成してから一体的に成形することができるし、前記第一板体３２１１に一体的に成形してから前記第二板体３２１２を前記第一板体３２１１に電気的に接続し、例えば前記ＡＣＦ導電性接着剤により前記第一板体３２１１に固定することもできる。
【０１５２】
ところで、図２２に示すように、前記第二板体３２１２は前記接続媒体３２１３により前記第一板体３２１１の上部に接続されているが、本発明の他の実施例では、前記第二板体３２１２は前記接続媒体３２１３により前記第一板体３２１１の底部に接続され、本発明はその面に制限されない。
図２３は本発明の第十二好ましい実施例によるカメラモジュール１００である。
【０１５３】
この実施例では、前記回路基板本体３２１に一逆貼り溝３２１４が設けられ、前記感光チップ３１は逆貼りの方式にて前記逆貼り溝３２１４に取り付けられている。つまり、前記感光チップ３１をＦＣ(Ｆｌｉｐ  Ｃｈｉｐ、フリップチップ)の方式にて前記回路基板本体３２１に取り付けられている。前記逆貼り溝３２１４は前記レンズ群１０の方向に対向している。
【０１５４】
つまり、取付過程において、前記感光チップ３１は前記回路基板本体３２１の下方から前記回路基板本体３２１へ取り付けられ、前記感光チップ３１の前記感光領域は前記逆貼り溝３２１４により感光作用を奏する。
図２４は本発明第十四好ましい実施例によるカメラモジュールの模式図である。
【０１５５】
この実施例では、前記レンズ群搭載素子２０は前記ベース３３に一体的に接続され、前記レンズ群１０は、一フィックスフォーカスカメラモジュールを形成するように前記レンズ群搭載素子２０への取付に適する。
【０１５６】
更に、前記レンズ群搭載素子２０は、閉じたレンズ群の位置規制空間を形成するように前記ベース本体３３１の少なくとも一部から上向きに一体的に延在している。つまり、このような方式において、前記ベース３３は前記レンズ群１０に位置規制、取付空間を提供するように前記レンズ群搭載素子２０を備える。
【０１５７】
製造過程において、金型を採用して前記回路基板３２に前記レンズ群搭載素子２０付き前記ベース３３を一体的に成形することができる。二次モールディングの方式にて前記ベース本体を成形した後に、前記ベース本体に前記レンズ群搭載素子を形成することもでき、本発明はその面に制限されない。
図２５Ａ、２５Ｂは本発明の第十五好ましい実施例によるカメラモジュール１００の模式図である。
【０１５８】
この実施例では、前記レンズ群１０は少なくとも２つのレンズ群ユニットを備え、各前記レンズ群ユニットの光路は一致している。更に、各前記レンズ群ユニットのうちの少なくとも１つの前記レンズ群ユニットは縁除去化レンズ群ユニットである。つまり、そのうちの少なくとも１つの前記レンズ群ユニットは少なくとも１つの前記縁除去化レンズを備える。
【０１５９】
具体的には、この実施の形態では、前記レンズ群１０は２つの前記レンズ群ユニットを備え、それぞれが第一レンズ群ユニット１１０及び一第二レンズ群ユニット１２０であり、前記第一レンズ群ユニット１１０及び前記第二レンズ群ユニット１２０は下から上にかけて積層設置されている。前記第一レンズ群ユニット１１０は縁除去化レンズ群である。前記第一レンズ群ユニット１１０及び前記第二レンズ群ユニット１２０はそれぞれ独立し、つまり、製造過程において、前記第一レンズ群ユニット１１０及び前記第二レンズ群ユニット１２０をそれぞれ別々に形成してから、２つのレンズ群ユニットを粘着剤による接着により組立てることができる。
【０１６０】
更に、前記第一レンズ群ユニット１１０は４つのレンズ１１を備え、それぞれが一第一レンズ１１１、一第二レンズ１１２、一第三レンズ１１３及び一第四レンズ１１４であり、そのうちの前記第四レンズ１１４は縁除去化レンズである。前記第一レンズ群ユニット１１０は一縁除去化鏡筒１２を備え、各前記レンズ１１はそれぞれ前記鏡筒１２内に取り付けられている。
【０１６１】
ところで、レンズ群を製造する過程において、光軸の一致性及びレンズ間の相対角度の関係はレンズ群の結像品質に影響する若干の要因である。各前記レンズ及び前記レンズ群を組立てるときに、相対位置、特に最后１枚のレンズの位置を調整する必要がある。一般的に、最后１枚のレンズを組立てる方式は、前記レンズに予め組立ててから、前記レンズの方位を調整し、例えば予め定められた角度で回動させることで、レンズ群に比較的よく結像させる。この実施例では、前記レンズの相対位置の調整は前記第二レンズ群ユニット１２０を調整することで達成することができる。つまり、前記レンズ群１０を組立てるときに、組立てることで前記第一レンズ群ユニット１１０及び前記第二レンズ群ユニット１２０を得た後に、前記第一レンズ群ユニット１１０及び前記第二レンズ群ユニット１２０を予め組み立て、その後に前記第二レンズ群ユニット１２０又は前記第一レンズ群ユニット１１０を回動させ、前記第一レンズ群ユニット１１０と前記第二レンズ群ユニット１２０との相対位置を調整して、前記レンズ群１０の結像品質が結像品質要求の範囲になると或いはよりよい結像効果を獲得すると、レンズ間の相対位置の関係を調整する目的を達成する。
【０１６２】
図２６Ａ、２６Ｂは本発明の第十五好ましい実施例によるカメラモジュール及び感光アセンブリの模式図である。本発明のこの実施例では、前記第一板体、前記回路基板本体３２１は一第一板体３２１１と一第二板体３２１２とを備え、前記第二板体３２１２は前記第一板体３２１１に電気的に接続されている。前記第一板体３２１１は一硬質板であることができ、前記第二板体３２１２は一軟質板であることができる。例として、前記第二板体３２１２は圧接の方式にて前記第一板体３２１１に電気的に接続されることができるし、一導電媒体を介して前記第一板体３２１１に電気的に接続されることもできる。前記第二板体３２１２は一インターフェイスを備えてもよく、例えば、一電子デバイスに電気的に接続するように一コネクタを設けており、つまり、前記第二板体３２１２は他のデバイス、例えば、電子デバイスに電気的に接続するための一電気接続端である。
【０１６３】
更に、前記レンズ群１０の前記縁除去化レンズの前記弦辺１１４１及び前記縁除去化鏡筒１２の前記弦辺部１２１は前記第二板体３２１２側に近い。具体的には、前記ベース本体３３１は４つの側辺を備え、それぞれが一第一側辺３３１０１、一第二側辺３３１０２、一第三側辺３３１０３、一第四側辺３３１０４であり、前記第一側辺３３１０１、前記第二側辺３３１０２、前記第三側辺３３１０３、前記第四側辺３３１０４は順に互いに隣接して閉じて前記光窓３３３を形成している。前記第二側辺３３１０２及び前記第四側辺３３１０４は前記第一側辺３３１０１の両側に位置し、前記第三側辺３３１０３は前記第一側辺３３１０１に対向している。
【０１６４】
一台座３３２０は前記ベース本体３３１に取り付けられ、前記光フィルター４０は前記光フィルター４０を前記感光チップ３１の感光経路に位置させるように前記台座３３２０に取り付けられている。
【０１６５】
本発明のこの実施例では、前記第一側辺３３１０１は前記第二板体３２１２に近く、前記レンズ群１０の前記縁除去化レンズの前記弦辺１１４１は前記第一側辺３３１０１の方向に位置している。つまり、前記縁除去化レンズの前記弦辺１１４１及び前記縁除去化鏡筒１２の前記弦辺部１２１は前記カメラモジュール１００のインターフェイスに近い。
【０１６６】
更に、本発明のこの実施例では、前記電子素子３３２及び前記電気接続素子３１３は前記ベースの前記第二側辺３３１０２及び前記第四側辺３３１０４に設けられ、前記第二側辺３３１０２と前記第四側辺３３１０４とが対応する前記回路基板本体３２１の位置を十分に利用する。即ち、前記電子素子３３２及び前記電気接続素子３１３は前記第二側辺３３１０２と前記第四側辺３３１０４とが対応する前記第一板体の位置に設けられている。特に、前記電子素子３３２及び前記電気接続素子３１３は前記縁除去化レンズの前記弦辺１１４１と垂直な方向に設けられることで、前記弦辺１１４１が位置する方向の寸法を最大限に小さくする。ところで、本発明のこの実施例では、前記電気接続素子３１３及び前記電子素子３３２は対向する両側に設けられているが、本発明の他の実施例では、前記電気接続素子３１３及び前記電子素子３３２を必要に応じて前記感光チップ３１の任意の両側、三側又は四側に設けることができ、つまり、前記電子素子３３２及び/又は前記電気接続素子３１３を前記ベース本体３３１における前記第一側辺３３１０１と、前記第二側辺３３１０２と、前記第三側辺３３１０３と前記第四側辺３３１０４のうちの一つの側辺、２つの側辺、３つの側辺又は４つの側辺に選択的に設けることができ、本発明はその面に制限されない。
【０１６７】
ところで、ある実施例では、前記弦辺１１４１は前記第一側辺３３１０１の方向に位置し、前記第一側辺３３１０１に対応する位置に前記電子素子３３２を設けないことで、前記第一側辺３３１０１の幅寸法の要求を低下させ、前記カメラモジュール体積を更に縮小する可能性を高くする。つまり、前記電子素子３３２及び前記電気接続素子３１３の設置位置は前記弦辺１１４１の設置方向に基づいて調整することができる。
【０１６８】
更に、本発明のこの実施例では、前記第一側辺３３１０１の幅寸法は比較的小さく、前記レンズ群１０の縁除去化設計に適し、即ち、前記縁除去化レンズの前記弦辺１１４１及び前記縁除去化鏡筒１２の前記弦辺部１２１に適する。特に、前記第一側辺３３１０１の幅寸法Ｗ１は前記第二側辺３３１０２及び前記第四側辺３３１０４の幅寸法Ｗ２、Ｗ４よりも小さい。
【０１６９】
図２７Ａ、２７Ｂは本発明の第十六好ましい実施例によるカメラモジュール及び感光アセンブリの模式図である。本発明のこの実施例では、前記第三側辺３３１０３は前記第二板体３２１２から遠ざかり、前記レンズ群１０の前記縁除去化レンズの前記弦辺１１４１及び前記縁除去化鏡筒１２の前記弦辺部１２１は前記第三側辺３３１０１の方向に位置している点で、第十五実施例とは異なる。つまり、前記縁除去化レンズの前記弦辺１１４１及び前記縁除去化鏡筒１２の前記弦辺部１２１は前記カメラモジュール１００の電気接続端から遠ざかっている。即ち、前記縁除去化レンズの前記弦辺１１４１は前記第二板体３２１２に対向する側に位置している。
【０１７０】
更に、本発明のこの実施例では、前記第三側辺３３１０３の幅寸法は比較的小さく、前記レンズ群１０の縁除去化設計に適し、即ち、前記縁除去化レンズの前記弦辺１１４１及び前記縁除去化鏡筒１２の前記弦辺部１２１に適する。特に、前記第三側辺３３１０１の幅寸法Ｗ３は前記第二側辺３３１０２及び前記第四側辺３３１０４の幅寸法Ｗ２、Ｗ４よりも小さい。
【０１７１】
図２８Ａ、２８Ｂは本発明の第十七好ましい実施例によるカメラモジュール及び感光アセンブリの模式図である。本発明のこの実施例では、前記縁除去化レンズは２つの前記弦辺１１４１を備え、前記縁除去化鏡筒１２は２つの前記弦辺部１２１を備える。前記縁除去化レンズの一つの前記弦辺１１４１及び前記縁除去化鏡筒１２の一つの前記弦辺部１２１は前記第二板体３２１２に近づく側に位置している。一前記縁除去化レンズの他の１つの前記弦辺１１４１及び前記縁除去化鏡筒１２の他の１つの前記弦辺部１２１は前記第二板体３２１２から遠ざかる側に位置している。
【０１７２】
更に、前記縁除去化レンズの１つの前記弦辺１１４１及び前記縁除去化鏡筒１２の１つの前記弦辺部１２１は前記ベース本体３３１の前記第一側辺３３１０１に位置している。前記縁除去化レンズの他１つの前記弦辺１１４１及び前記縁除去化鏡筒１２の他の１つの前記弦辺部１２１は前記ベース本体３３１の前記第三側板３３１０３に位置している。
図２９は本発明の第十五好ましい実施例によるアレイカメラモジュールの模式図である。
【０１７３】
このような実施の形態では、前記アレイカメラモジュールは複数の前記カメラモジュール１００を備えることにより、各前記モジュールを互いに協働させて作動させる。特に、各前記カメラモジュール１００は別体に設けられ、つまり、各前記カメラモジュール１００の前記回路基板３２及び前記ベース３３は接続されなくてもよい。
更に、各前記カメラモジュール１００は一外枠体５０により組立てられることができる。
【０１７４】
更に、ある実施例では、前記アレイカメラモジュールは本発明の前記カメラモジュール１００と従来のカメラモジュールとを組み合わせることで構成することができ、つまり、前記アレイカメラモジュールは少なくとも１つの前記カメラモジュール１００を備える。
図３０は本発明の第十六好ましい実施例によるアレイカメラモジュールの模式図である。
【０１７５】
このような実施の形態では、前記アレイカメラモジュール１００は複数の前記カメラモジュール１００を備えることで、各前記モジュールを互いに協働させて作動させる。特に、各前記カメラモジュール１００は繋がるように設けられ、つまり、各前記カメラモジュール１００における前記回路基板３２及び前記ベース３３を互いに接続することができることで、一つの全体構造を形成する。
【０１７６】
更に、ある実施例では、前記アレイカメラモジュールは本発明の前記カメラモジュール１００と従来のカメラモジュールを組み合わせることで構成することができ、つまり、前記アレイカメラモジュールは少なくとも１つの前記カメラモジュール１００を備える。少なくとも１つの前記カメラモジュール１００は従来のカメラモジュールに繋がって前記アレイカメラモジュールを構成することができる。
図３１は本発明の上記好ましい実施例によるレンズ群１０の製造方法の模式図である。本発明は、
少なくとも１つの縁除去化レンズを射出成形するステップ１１０１と、
縁除去化鏡筒１２を射出成形するステップ１１０２と、
前記縁除去化レンズを予め定められた位置で前記縁除去化鏡筒１２に取り付けるステップ１１０３と、を備えるレンズ群１０の製造方法１０００を提供する。
図３２は本発明の上記好ましい実施例によるカメラモジュール１００の応用の模式図である。
【０１７７】
本発明は、電子デバイス本体２００と少なくとも１つの前記カメラモジュール１００とを備え、前記カメラモジュール１００は、画像を取得するように前記電子デバイス本体２００にそれぞれ設けられている電子デバイス３００を更に提供する。ところで、前記電子デバイス本体２００の類型は限制されるものではなく、例えば、前記電子デバイス本体２００はスマートフォン、ウェアラブルデバイス、タブレット、ノートパソコン、電子ブック、携帯情報端末、カメラ、モニターなどの前記カメラモジュール１００を配置可能な如何なる電子デバイスであってもよい。当業者は、図３２において前記電子デバイス本体２００はスマートフォンとして実施されることを例にしたが、本発明の内容及び範囲への規制になるものではないことを理解するはずである。
【０１７８】
当業者は上記記載及び図に示す本発明の実施例は、あくまでも例示的なものであり、本発明を規制するものではないことを理解するはずである。本発明の目的は、完全に且つ効果的に達成されている。本発明の機能及び構成原理は、実施例に示されて説明したが、本発明の実施の形態は、前記原理を逸脱しない範囲において、各種の変形又は修正を行なうことができる。
【図１】
0006876812.tif 000002
【図２】
0006876812.tif 000003
【図３】
0006876812.tif 000004
【図４】
0006876812.tif 000005
【図５】
0006876812.tif 000006
【図６】
0006876812.tif 000007
【図７】
0006876812.tif 000008
【図８】
0006876812.tif 000009
【図９】
0006876812.tif 000010
【図１０】
0006876812.tif 000011
【図１１】
0006876812.tif 000012
【図１２】
0006876812.tif 000013
【図１３】
0006876812.tif 000014
【図１４】
0006876812.tif 000015
【図１５】
0006876812.tif 000016
【図１６】
0006876812.tif 000017
【図１７】
0006876812.tif 000018
【図１８】
0006876812.tif 000019
【図１９】
0006876812.tif 000020
【図２０】
0006876812.tif 000021
【図２１】
0006876812.tif 000022
【図２２】
0006876812.tif 000023
【図２３】
0006876812.tif 000024
【図２４】
0006876812.tif 000025
【図２５Ａ】
0006876812.tif 000026
【図２５Ｂ】
0006876812.tif 000027
【図２６Ａ】
0006876812.tif 000028
【図２６Ｂ】
0006876812.tif 000029
【図２７Ａ】
0006876812.tif 000030
【図２７Ｂ】
0006876812.tif 000031
【図２８Ａ】
0006876812.tif 000032
【図２８Ｂ】
0006876812.tif 000033
【図２９】
0006876812.tif 000034
【図３０】
0006876812.tif 000035
【図３１】
0006876812.tif 000036
【図３２】
0006876812.tif 000037